(57)【要約】【課題】従来のものより保存期間が長く、かつ、取り扱いが容易な分析物抽出カートリッジセット（抽出カートリッジセット）を提供する。【解決手段】この抽出カートリッジセット２００は、被験者からグルコースを抽出し、抽出されたグルコースを分析する血糖値測定装置１００に装着可能であり、被験者から抽出されるグルコースを保持するための純水を保持可能なメッシュシート２３を含む抽出カートリッジ２と、純水を吸収保持可能であり、メッシュシート２３に所定量の純水を供給するための液体供給部材６０とを備えている。【選択図】図９
2006223837.tif 000002
【特許請求の範囲】
【請求項１】
分析装置に装着可能な分析物抽出カートリッジを用いて被験者から分析物を抽出し、抽出された前記分析物を分析する分析方法であって、
前記被験者から抽出された前記分析物を保持するための液体を保持可能な液体保持部材を含む前記分析物抽出カートリッジの液体保持部材に、前記液体を吸収保持した液体供給部材から所定量の前記液体を供給するステップと、
前記分析物抽出カートリッジを前記分析装置に装着するステップと、
前記分析物抽出カートリッジを装着した前記分析装置を前記被験者にセットするステップと、
前記液体保持部材に供給された液体に、前記被験者から前記分析物を抽出するステップと、
前記液体に抽出された前記分析物を分析するステップとを備えた、分析方法。
【請求項２】
被験者から分析物を抽出して前記分析物を分析する分析装置に装着可能であり、前記被験者から抽出される前記分析物を保持するための液体を保持可能な液体保持部材を含む分析物抽出カートリッジと、
前記液体を吸収保持可能であり、前記液体保持部材に所定量の前記液体を供給するための液体供給部材とを備えた、分析物抽出カートリッジセット。
【請求項３】
前記分析物抽出カートリッジと前記液体供給部材とを保持する保持手段をさらに備え、
前記保持手段は、前記保持手段に保持された前記分析物抽出カートリッジの液体保持部材と前記液体供給部材とが接触しないように分離する分離部材を含む、請求項２に記載の分析物抽出カートリッジセット。
【請求項４】
前記分析物抽出カートリッジと前記液体供給部材とは、前記分析物抽出カートリッジの液体保持部材と前記液体供給部材とが前記分離部材を挟んで対向するように前記保持手段に保持されている、請求項３に記載の分析物抽出カートリッジセット。
【請求項５】
前記保持手段は、前記液体供給部材を収容する収容手段をさらに含み、
前記分離部材は、前記収容手段および前記分析物抽出カートリッジに離脱可能に接合されており、
前記分析物抽出カートリッジと前記液体供給部材とは、前記分離部材が前記収容手段および前記分析物抽出カートリッジから離脱することによって、前記液体保持部材と前記液体供給部材とが接触するように前記保持手段に保持されている、請求項３または４に記載の分析物抽出カートリッジセット。
【請求項６】
前記収容手段は、第１の内面を有し、
前記分離部材は、前記収容手段の前記第１の内面と接合されている第１の面と、前記分析物抽出カートリッジと接合されている第２の面とを有する、請求項５に記載の分析物抽出カートリッジ。
【請求項７】
前記分離部材の第１の面は、前記収容手段の第１の内面に離脱可能に接合される第１接合部を含み、
前記分離部材の第２の面は、前記分析物抽出カートリッジの一方面に離脱可能に接合される第２接合部と、前記分析物抽出カートリッジの他方面に離脱可能に接合される第３接合部とを含む、請求項６に記載の分析物抽出カートリッジ。
【請求項８】
前記液体供給部材は、前記収容手段の前記第１の内面に接着されており、
前記収容手段は、その一部が前記分離部材の離脱後も前記分析物抽出カートリッジと接合されている、請求項６または７に記載の分析物抽出カートリッジ。
【請求項９】
前記収容手段は、前記液体供給部材を収容する収容部と、前記分析物抽出カートリッジに離脱可能に接合されるカートリッジ接合部とを含む、請求項５〜８のいずれか１項に記載の分析物抽出カートリッジセット。
【請求項１０】
前記分析物抽出カートリッジは、前記分析物抽出カートリッジから前記分離部材を離脱する際に把持されるカートリッジ側把持部を含む、請求項５〜９のいずれか１項に記載の分析物抽出カートリッジセット。
【請求項１１】
前記分離部材は、前記収容手段に離脱可能に接合される第１接合部と、前記分析物抽出カートリッジの液体保持部材と前記液体供給部材とが接触しないように分離する分離部と、前記分析物抽出カートリッジの一方面に離脱可能に接合される第２接合部と、前記分析物抽出カートリッジの他方面に離脱可能に接合される第３接合部とを含む、請求項５〜１０のいずれか１項に記載の分析物抽出カートリッジセット。
【請求項１２】
前記分離部材は、
前記第１接合部と、前記第３接合部と、前記分離部を構成する第１分離部とを有する第１接合部材と、
前記第２接合部と、前記分離部を構成するとともに、前記第１接合部材の第１分離部と接合される第２分離部とを有する第２接合部材とを含み、
前記第１接合部、前記第２接合部および前記第３接合部は、前記分離部材の離脱方向に力が加えられることにより、前記分離部材の離脱方向と反対側の接合端部に剥離方向に引っ張り力が加わることによって、前記分離部材の離脱方向と反対側の接合端部から順次剥離される、請求項１１に記載の分析物抽出カートリッジセット。
【請求項１３】
前記分離部材は、少なくとも前記分析物抽出カートリッジから前記分離部材を離脱する際に把持される分離部材側把持部をさらに含む、請求項５〜１２のいずれか１項に記載の分析物抽出カートリッジセット。
【請求項１４】
前記分離部材は、ポリエチレンを含有するフィルム状部材を含み、
前記分析物抽出カートリッジは、前記分離部材が離脱可能に接合され、ポリエチレンとポリプロピレンとを含有するカートリッジ本体を含む、請求項３〜１３のいずれか１項に記載の分析物抽出カートリッジセット。
【請求項１５】
前記収容手段は、ポリエチレンを含有するフィルム状部材を含み、
前記分析物抽出カートリッジは、前記収容手段が離脱可能に接合され、ポリエチレンとポリプロピレンとを含有するカートリッジ本体を含む、請求項３〜１４のいずれか１項に記載の分析物抽出カートリッジセット。
【請求項１６】
前記液体保持部材は、多孔質構造を有するシート状部材である、請求項２〜１５のいずれか１項に記載の分析物抽出カートリッジセット。
【請求項１７】
前記液体供給部材は、前記液体保持部材と接触することによって前記液体保持部材に所定量の前記液体を供給する、請求項２〜１６のいずれか１項に記載の分析物抽出カートリッジセット。
【請求項１８】
前記液体供給部材により吸収保持される液体は、純水または生理食塩水である、請求項２〜１７のいずれか１項に記載の分析物抽出カートリッジセット。
【請求項１９】
前記分析物抽出カートリッジが装着される前記分析装置は、前記被験者の皮膚に電場を付与するための電源を含み、
前記分析物抽出カートリッジは、前記電源に接続可能な電極を含む、請求項２〜１８のいずれか１項に記載の分析物抽出カートリッジセット。
【請求項２０】
前記分析物抽出カートリッジは、単一のカートリッジからなり、
前記分析物抽出カートリッジの電極は、
前記分析装置の電源の陽極側に接続される陽極と、
前記分析装置の電源の陰極側に接続される陰極とを有する、請求項１９に記載の分析物抽出カートリッジセット。
【請求項２１】
前記液体保持部材は、前記液体供給部材から前記液体を供給されるまでは、乾燥している、請求項２〜２０のいずれか１項に記載の分析物抽出カートリッジセット。
【請求項２２】
前記液体供給部材は、吸収保持している前記液体のうち、一部の液体を前記液体保持部材に供給する、請求項２〜２１のいずれか１項に記載の分析物抽出カートリッジセット。
【請求項２３】
被験者から分析物を抽出して前記分析物を分析する分析装置に装着可能であり、前記被験者から抽出される前記分析物を保持するための液体を保持可能な液体保持部材を含む分析物抽出カートリッジと、
前記分析物抽出カートリッジの表面に離脱可能に接合された第１フィルム状部材と、
前記液体を吸収保持可能であり、前記液体保持部材に所定量の前記液体を供給するための液体供給部材と、
前記分析物抽出カートリッジの表面に対向する内面を有し、前記液体供給部材を保持するための液体供給部材保持部材と、
前記液体供給部材保持部材の内面に離脱可能に接合され、前記液体供給部材保持部材との間に前記液体供給部材を保持するための空間を形成する第２フィルム状部材と、
前記第１フィルム状部材の端部および前記第２フィルム状部材の端部に接続された接続部材とを備え、
前記接続部材に対し一方向へ力が加わることにより、前記第１フィルム状部材の端部および前記第２フィルム状部材の端部に対し前記一方向へ引っ張り力が加わり、それぞれ、前記分析物抽出カートリッジの表面および前記液体供給部材保持部材の内面から離脱する、分析物抽出カートリッジセット。
【発明の詳細な説明】
【技術分野】
【０００１】
本発明は、分析物抽出カートリッジセットおよび分析方法に関し、特に、生体から分析物を抽出する分析物抽出カートリッジセットおよび分析方法に関する。
【背景技術】
【０００２】
従来、皮膚に電流を流すことによって体液を抽出する、いわゆるリバースイオントフォレシス法を利用した体液抽出装置が知られている（たとえば、特許文献１参照）。この特許文献１に開示された従来の体液抽出装置では、収集リザーバに収容されたヒドロゲルなどの導電媒体に体液を抽出するとともに、抽出された体液に含まれる分析物を、収集リザーバに接触するように配置されたセンサにより検出して分析するように構成されている。また、上記特許文献１には、脱水ゲルなどの乾燥形態の導電媒体を用い、導電媒体が皮膚に取り付けられる前に水や電解溶液を添加することによって、導電媒体の成分を安定させることも提案されている。
【０００３】
【特許文献１】国際公開番号ＷＯ９６／００１１０号
【発明の開示】
【発明が解決しようとする課題】
【０００４】
しかしながら、上記特許文献１に開示された従来のヒドロゲルなどを用いた体液抽出装置では、収集リザーバに収容されたヒドロゲルに含まれる水分が蒸発してしまうため、長期保存が難しいという問題点がある。
【０００５】
また、上記特許文献１には、脱水ゲルなどの乾燥形態の導電媒体を用いることも提案されているが、導電媒体に水などを添加することは容易ではなく、添加する水が少なすぎると分析物を十分に抽出することができず、添加する水が多すぎると脱水ゲルなどが吸収しきれなかった水によって体液抽出装置を破損してしまうという不都合がある。その結果、装置の取り扱いが困難になるという問題点がある。
【０００６】
この発明は、上記のような課題を解決するためになされたものであり、従来のものより保存期間が長く、かつ、取り扱いが容易な分析物抽出カートリッジセット、および、従来のものより保存期間が長く、かつ、取り扱いが容易なカートリッジを用いた分析方法を提供することを目的とする。
【課題を解決するための手段および発明の効果】
【０００７】
上記目的を達成するために、この発明の第１の局面による分析方法は、分析装置に装着可能な分析物抽出カートリッジを用いて被験者から分析物を抽出し、抽出された分析物を分析する分析方法であって、被験者から抽出された分析物を保持するための液体を保持可能な液体保持部材を含む分析物抽出カートリッジの液体保持部材に、液体を吸収保持した液体供給部材から所定量の液体を供給するステップと、分析物抽出カートリッジを分析装置に装着するステップと、分析物抽出カートリッジを装着した分析装置を被験者にセットするステップと、液体保持部材に供給された液体に、被験者から分析物を抽出するステップと、液体に抽出された分析物を分析するステップとを備えている。
【０００８】
この第１の局面による分析方法では、上記のように、被験者から抽出された分析物を保持するための液体を保持可能な液体保持部材を含む分析物抽出カートリッジの液体保持部材に、液体を吸収保持した液体供給部材から所定量の液体を供給するステップと、分析物抽出カートリッジを分析装置に装着するステップと、分析物抽出カートリッジを装着した分析装置を被験者にセットするステップと、液体保持部材に供給された液体に、被験者から分析物を抽出するステップとを備えることによって、分析物抽出カートリッジの保存状態（カートリッジ使用前の液体保持部材の液体保持量）にかかわらず、液体保持部材に液体が供給された状態で、被験者から分析物を抽出することができるので、分析物抽出カートリッジの保存期間が従来のものより長くなった。また、液体を吸収保持した液体供給部材を用いて液体保持部材に所定量の液体を供給することによって、容易に、適切な量の液体を液体保持部材に供給することが可能である。
【０００９】
この発明の第２の局面による分析物抽出カートリッジセットは、被験者から分析物を抽出して分析物を分析する分析装置に装着可能であり、被験者から抽出される分析物を保持するための液体を保持可能な液体保持部材を含む分析物抽出カートリッジと、液体を吸収保持可能であり、液体保持部材に所定量の液体を供給するための液体供給部材とを備えている。
【００１０】
この第２の局面による分析物抽出カートリッジセットでは、上記のように、被験者から分析物を抽出して分析物を分析する分析装置に装着可能であり、被験者から抽出される分析物を保持するための液体を保持可能な液体保持部材を含む分析物抽出カートリッジと、液体を吸収保持可能であり、液体保持部材に所定量の液体を供給するための液体供給部材とを備えることによって、分析物抽出カートリッジの保存状態（カートリッジ使用前の液体保持部材の液体保持量）にかかわらず、液体供給部材から液体保持部材に液体を供給して分析物抽出カートリッジを使用することができるので、分析物抽出カートリッジの保存期間が従来のものより長くなった。また、液体を吸収保持可能な液体供給部材を用いて液体保持部材に所定量の液体を供給することにより、容易に、適切な量の液体を液体保持部材に供給することが可能である。
【００１１】
上記第２の局面による分析物抽出カートリッジセットにおいて、好ましくは、分析物抽出カートリッジと液体供給部材とを保持する保持手段をさらに備え、保持手段は、保持手段に保持された分析物抽出カートリッジの液体保持部材と液体供給部材とが接触しないように分離する分離部材を含む。このように構成すれば、分離部材により分析物抽出カートリッジの液体保持部材と液体供給部材とを接触しないように分離した状態で、保持手段により液体保持部材を保持することができるので、容易に、分析物抽出カートリッジを保存することができる。
【００１２】
この場合、好ましくは、分析物抽出カートリッジと液体供給部材とは、分析物抽出カートリッジの液体保持部材と液体供給部材とが分離部材を挟んで対向するように保持手段に保持されている。このように構成すれば、液体保持部材と液体供給部材との間の分離部材を取り除くだけで、容易に、液体保持部材と液体供給部材とを接触させることができる。
【００１３】
上記保持手段が分離部材を含む構成において、好ましくは、保持手段は、液体供給部材を収容する収容手段をさらに含み、分離部材は、収容手段および分析物抽出カートリッジに離脱可能に接合されており、分析物抽出カートリッジと液体供給部材とは、分離部材が収容手段および分析物抽出カートリッジから離脱することによって、液体保持部材と液体供給部材とが接触するように保持手段に保持されている。このように構成すれば、分離部材を収容手段および分析物抽出カートリッジから離脱させるだけで、液体保持部材と液体供給部材とを接触させることができるので、容易に、液体供給部材が保持する液体を液体保持部材に供給することができる。
【００１４】
この場合、好ましくは、収容手段は、第１の内面を有し、分離部材は、収容手段の第１の内面と接合されている第１の面と、分析物抽出カートリッジと接合されている第２の面とを有する。このように構成すれば、収容手段の第１の内面と分離部材の第１の面とにより、液体供給部材を収容するための密閉された領域を形成することができるとともに、液体保持部材を含む分析物抽出カートリッジと第２の面とにより、密閉された領域を形成することができる。これにより、液体供給部材および分析物抽出カートリッジの液体保持部材を密閉状態で保持することができる。
【００１５】
上記分離部材が第１の面と第２の面とを有する構成において、好ましくは、分離部材の第１の面は、収容手段の第１の内面に離脱可能に接合される第１接合部を含み、分離部材の第２の面は、分析物抽出カートリッジの一方面に離脱可能に接合される第２接合部と、分析物抽出カートリッジの他方面に離脱可能に接合される第３接合部とを含む。このように構成すれば、分析物抽出カートリッジの一方面が第２接合部と接合されるとともに、分析物抽出カートリッジの他方面が第３接合部と接合されるので、容易に、分析物抽出カートリッジの両面を密閉することができる。
【００１６】
上記収容手段が第１の内面を有する構成において、好ましくは、液体供給部材は、収容手段の第１の内面に接着されており、収容手段は、その一部が分離部材の離脱後も分析物抽出カートリッジと接合されている。このように構成すれば、分離部材が分析物抽出カートリッジから離脱された後も液体供給部材が収容手段から外れることがないので、液体供給部材の取り扱いが容易である。また、収容手段の一部を分離部材の分離後も分析物抽出カートリッジと接合することによって、液体供給部材を収容手段の第１の内面の液体保持部材の対応する位置に予め接着しておけば、容易に、液体供給部材を分析物抽出カートリッジの液体保持部材と対向するように配置することができる。その結果、分離部材の離脱後に収容手段の第１の内面と反対の面を分析物抽出カートリッジ側に押圧することにより、容易に、液体供給部材に保持される液体を液体保持部材に供給することができる。さらに、収容手段の第１の内面に液体供給部材を接着することにより、収容手段の第１の内面と反対の面を指やピンセットなどにより分析物抽出カートリッジ側に押圧することによって、液体供給部材に保持される液体を液体保持部材に供給することができる。これにより、指やピンセットなどが収容手段の第１の内面側の液体供給部材および液体保持部材に供給される液体に触れるのを防止することができるので、液体供給部材および液体保持部材に供給される液体が汚染されるのを防止することができる。
【００１７】
上記保持手段が収容手段を含む構成において、好ましくは、収容手段は、液体供給部材を収容する収容部と、分析物抽出カートリッジに離脱可能に接合されるカートリッジ接合部とを含む。このように構成すれば、カートリッジ接合部により、収容手段が分析物抽出カートリッジに対して離脱可能に接合されているので、液体供給部材から分析物抽出カートリッジの液体保持部材に液体を供給した後に、収容手段を液体供給部材とともに分析物抽出カートリッジから離脱させることができる。
【００１８】
上記分離部材が収容手段および分析物抽出カートリッジに離脱可能に接合されている構成において、好ましくは、分析物抽出カートリッジは、分析物抽出カートリッジから分離部材を離脱する際に把持されるカートリッジ側把持部を含む。このように構成すれば、分離部材を離脱する際に分析物抽出カートリッジのカートリッジ把持部を把持することができるので、容易に、分離部材を分析物抽出カートリッジから離脱させることができる。
【００１９】
上記分離部材が収容手段および分析物抽出カートリッジに離脱可能に接合されている構成において、好ましくは、分離部材は、収容手段に離脱可能に接合される第１接合部と、分析物抽出カートリッジの液体保持部材と液体供給部材とが接触しないように分離する分離部と、分析物抽出カートリッジの一方面に離脱可能に接合される第２接合部と、分析物抽出カートリッジの他方面に離脱可能に接合される第３接合部とを含む。このように構成すれば、第１接合部、第２接合部および第３接合部により、収容手段の液体供給部材と分析物抽出カートリッジの液体保持部材とを密閉状態で保持することができ、かつ、分離部により、液体供給部材と液体保持部材とが接触しないように分離することができる。
【００２０】
上記分離部材が第１接合部〜第３接合部を含む構成において、好ましくは、分離部材は、第１接合部と、第３接合部と、分離部を構成する第１分離部とを有する第１接合部材と、第２接合部と、分離部を構成するとともに、第１接合部材の第１分離部と接合される第２分離部とを有する第２接合部材とを含み、第１接合部、第２接合部および第３接合部は、分離部材の離脱方向に力が加えられることにより、分離部材の離脱方向と反対側の接合端部に剥離方向に引っ張り力が加わることによって、分離部材の離脱方向と反対側の接合端部から順次剥離される。このように構成すれば、分離部材に一方向（離脱方向）の力を加えるだけで、第１接合部、第２接合部および第３接合部の離脱方向と反対側の接合端部から剥離方向に引っ張り力が加わるので、容易に、第１接合部、第２接合部および第３接合部を分析物抽出カートリッジから離脱させることができる。
【００２１】
上記分離部材が収容手段および分析物抽出カートリッジに離脱可能に接合されている構成において、好ましくは、分離部材は、少なくとも分析物抽出カートリッジから分離部材を離脱する際に把持される分離部材側把持部をさらに含む。このように構成すれば、分離部材側把持部を把持することができるので、容易に、分離部材に離脱方向の力を加えることができる。
【００２２】
上記保持手段が分離部材を含む構成において、好ましくは、分離部材は、ポリエチレンを含有するフィルム状部材を含み、分析物抽出カートリッジは、分離部材が離脱可能に接合され、ポリエチレンとポリプロピレンとを含有するカートリッジ本体を含む。このように構成すれば、カートリッジ本体をポリエチレンにより形成した場合と異なり、分離部材と分析物抽出カートリッジとの低い溶着温度、および、分離部材と分析物抽出カートリッジとの間の剥離しやすい適度な接合強度を維持しながら、分析物抽出カートリッジの曲げ強度を向上させることができる。
【００２３】
上記保持手段が分離部材を含む構成において、好ましくは、収容手段は、ポリエチレンを含有するフィルム状部材を含み、分析物抽出カートリッジは、収容手段が離脱可能に接合され、ポリエチレンとポリプロピレンとを含有するカートリッジ本体を含む。このように構成すれば、カートリッジ本体をポリエチレンにより形成した場合と異なり、収容手段と分析物抽出カートリッジとの低い溶着温度、および、収容手段と分析物抽出カートリッジとの間の剥離しやすい適度な接合強度を維持しながら、分析物抽出カートリッジの曲げ強度を向上させることができる。
【００２４】
上記第２の局面による分析物抽出カートリッジセットにおいて、好ましくは、液体保持部材は、多孔質構造を有するシート状部材である。このように構成すれば、シート状部材が多孔質構造を有することによって、シート状部材に形成された複数の孔に液体供給部材から供給される液体を容易に保持することができる。
【００２５】
上記第２の局面による分析物抽出カートリッジセットにおいて、好ましくは、液体供給部材は、液体保持部材と接触することによって液体保持部材に所定量の液体を供給する。このように構成すれば、液体供給部材から液体保持部材に液体を効率的に供給することができる。
【００２６】
上記第２の局面による分析物抽出カートリッジセットにおいて、好ましくは、液体供給部材により吸収保持される液体は、純水または生理食塩水である。このように構成すれば、被験者の皮膚に接触する液体が純水または生理食塩水であるので、人体に悪影響を与える恐れがない。
【００２７】
上記第２の局面による分析物抽出カートリッジセットにおいて、好ましくは、分析物抽出カートリッジが装着される分析装置は、被験者の皮膚に電場を付与するための電源を含み、分析物抽出カートリッジは、電源に接続可能な電極を含む。このように構成すれば、分析装置の電源に接続された電極を介して、被験者の皮膚に電場を付与することができるので、被験者の皮膚から抽出される分析物を分析物抽出カートリッジの電極に向かって移動させることができる。これにより、被験者から分析物をより効率良く抽出することができる。
【００２８】
この場合、好ましくは、分析物抽出カートリッジは、単一のカートリッジからなり、分析物抽出カートリッジの電極は、分析装置の電源の陽極側に接続される陽極と、分析装置の電源の陰極側に接続される陰極とを有する。このように構成すれば、陽極に向かって移動する分析物と、陰極に向かって移動する分析物との両方を１つの分析物抽出カートリッジに収集することができるので、陽極および陰極に向かって移動する分析物を各々の電極に対応して設けられた２つの分析物抽出カートリッジに収集する場合に比べて、分析物を効率良く収集することができる。また、陽極および陰極が別々の分析物抽出カートリッジに設けられている場合と比べて、被験者による操作を簡略化することができる。
【００２９】
上記第２の局面による分析物抽出カートリッジセットにおいて、好ましくは、液体保持部材は、液体供給部材から液体を供給されるまでは、乾燥している。このように構成すれば、分析物抽出カートリッジの保存中に、液体保持部材に含まれる水分によって、分析物抽出カートリッジが劣化してしまうことを防止することができるので、分析物抽出カートリッジの保存期間をより長くすることができる。
【００３０】
上記第２の局面による分析物抽出カートリッジセットにおいて、好ましくは、液体供給部材は、吸収保持している液体のうち、一部の液体を液体保持部材に供給する。このように構成すれば、液体供給部材が吸収した液体が多少蒸発したとしても、液体供給部材は、液体保持部材に十分な量の液体を供給することができる。
【００３１】
この発明の第３の局面による分析物抽出カートリッジセットは、被験者から分析物を抽出して分析物を分析する分析装置に装着可能であり、被験者から抽出される分析物を保持するための液体を保持可能な液体保持部材を含む分析物抽出カートリッジと、分析物抽出カートリッジの表面に離脱可能に接合された第１フィルム状部材と、液体を吸収保持可能であり、液体保持部材に所定量の液体を供給するための液体供給部材と、分析物抽出カートリッジの表面に対向する内面を有し、液体供給部材を保持するための液体供給部材保持部材と、液体供給部材保持部材の内面に離脱可能に接合され、液体供給部材保持部材との間に液体供給部材を保持するための空間を形成する第２フィルム状部材と、第１フィルム状部材の端部および第２フィルム状部材の端部に接続された接続部材とを備え、接続部材に対し一方向へ力が加わることにより、第１フィルム状部材の端部および第２フィルム状部材の端部に対し一方向へ引っ張り力が加わり、それぞれ、分析物抽出カートリッジの表面および液体供給部材保持部材の内面から離脱する。
【００３２】
この第３の局面による分析物抽出カートリッジセットでは、上記のように、液体保持部材を含む分析物抽出カートリッジと、分析物抽出カートリッジの表面に離脱可能に接合された第１フィルム状部材と、液体を吸収保持可能であり、液体保持部材に所定量の液体を供給するための液体供給部材と、分析物抽出カートリッジの表面に対向する内面を有し、液体供給部材を保持するための液体供給部材保持部材と、液体供給部材保持部材の内面に離脱可能に接合され、液体供給部材保持部材との間に液体供給部材を保持するための空間を形成する第２フィルム状部材とを設けることによって、分析物抽出カートリッジの保存状態（分析物抽出カートリッジの使用前の液体保持部材の液体保持量）にかかわらず、分析物抽出カートリッジの使用前に、液体供給部材保持部材と第２フィルム状部材とにより形成された空間に保持されていた液体供給部材から液体保持部材に液体を供給することにより、分析物抽出カートリッジを使用することができるので、分析物抽出カートリッジの保存期間を長くすることができる。また、液体供給部材により液体保持部材に所定量の液体を供給することができるので、容易に、適切な量の液体を液体保持部材に供給することができる。また、第１フィルム状部材の端部および第２フィルム状部材の端部に接続された接続部材を設け、接続部材に対し一方向へ力が加わることにより、第１フィルム状部材の端部および第２フィルム状部材の端部に対し一方向へ引っ張り力が加わり、それぞれ、分析物抽出カートリッジの表面および液体供給部材保持部材の内面から離脱するように構成することによって、第１フィルム状部材および第２フィルム状部材を、それぞれ、分析物抽出カートリッジの表面および液体供給部材保持部材の内面から離脱させた際に、液体供給部材保持部材に保持される液体供給部材と、分析物抽出カートリッジに設けられた液体保持部材とが対向する状態で露出されるので、容易に、液体供給部材から液体保持部材に液体を供給することができる。
【発明を実施するための最良の形態】
【００３３】
以下、本発明の実施形態を図面に基づいて説明する。
【００３４】
（第１実施形態）
図１は、本発明の第１実施形態による抽出カートリッジが装着される血糖値測定装置を被験者の手首に装着した状態を示した斜視図である。図２〜図４は、図１に示した血糖値測定装置の内部構造を示した図である。図５は、図３に示した血糖値測定装置を被験者の手首に装着した状態を示した拡大図である。図６は、図２に示した血糖値測定装置に装着される抽出カートリッジの構造を示した平面図である。図７は、図１に示した血糖値測定装置の検知部の構成を示した概略図である。図８〜図１１は、第１実施形態による抽出カートリッジセットを示した斜視図である。図１２は、前処理に用いるマイクロニードルを示した斜視図である。図１３は、図１２に示したマイクロニードルによる前処理が施された皮膚の状態を示した断面図である。まず、図１〜図７、図１２および図１３を参照して、第１実施形態による抽出カートリッジ２が装着された血糖値測定装置１００の全体構成について説明する。
【００３５】
第１実施形態による血糖値測定装置１００は、生体から生化学成分の一つであるグルコースを抽出するとともに、抽出されたグルコースを分析することにより血糖値を算出する装置である。この血糖値測定装置１００は、図１に示すように、バンド部材１１０を用いて被験者の手首１２０に装着されるように構成されている。バンド部材１１０には、所定の位置に開口を有する固定具（図示せず）が取り付けられている。被験者は、固定具の開口を介して、被験者の手首１２０の抽出部位にニードルローラ１３０（図１２参照）を用いて前処理を施す。
【００３６】
ニードルローラ１３０は、図１２に示すように、アーム１３１と、アーム１３１に回転可能に支持される複数のローラ１３２とにより構成されている。このローラ１３２の外周面には、所定の間隔を隔てて複数の微小な針１３３が形成されている。この針１３３は、皮下組織まで達することはないが、角質層を含む表皮を貫通可能な程度の突出量（約０．３ｍｍ）を有している。このニードルローラ１３０を用いると、図１３に示すように、皮膚に、表皮を貫通し、真皮までは到達するが、皮下組織までは到達しない微細な抽出孔１２１を形成することができるので、これらの複数の抽出孔１２１を介して生体から体液を抽出することが可能である。これにより、図１に示した血糖値測定装置１００を用いて生体からグルコースを抽出する際に、被験者が感じる痛みを軽減することが可能である。なお、第１実施形態では、ニードルローラ１３０として、たとえば、Ｔｏｐ−Ｒｏｌ社製のダーマローラを使用する。
【００３７】
血糖値測定装置１００は、図２および図３に示すように、装置本体としての分析ユニット１と、分析ユニット１に着脱可能に保持される抽出カートリッジ２とを備えている。分析ユニット１は、図２および図３に示すように、制御部１１と、表示部１２（図１参照）と、直流方式の定電圧電源１３（図３参照）と、定電圧電源１３から流される電流を測定し、その測定結果を制御部１１に出力する電流計１４（図３参照）と、２つの係合フック１５とを含んでいる。また、分析ユニット１には、図７に示した検知部３を構成する単色光源３１、レンズ３２、レンズ３３および受光素子３４が設けられている。制御部１１は、ＣＰＵ、ＲＯＭ、ＲＡＭなどから構成され、グルコース量を算出した後、その算出したグルコース量から血糖値を算出するための機能を有している。また、表示部１２は、制御部１１により算出されたグルコース量および血糖値を表示するために設けられている。
【００３８】
また、定電圧電源１３は、図３および図５に示すように、後述する抽出カートリッジ２の陽極２４の端子部２４ｃと陰極２５の端子部２５ｃとに接続されている。この定電圧電源１３から０．８Ｖの電圧が陽極２４および陰極２５の間に印加される。また、２つの係合フック１５は、図２および図４に示すように、抽出カートリッジ２を分析ユニット１に固定するために設けられている。また、分析ユニット１に設けられた検知部３を構成する単色光源３１およびレンズ３２は、図３および図７に示すように、後述するセンサ部材２６に分析用の光を供給するための機能を有している。センサ部材２６内を通過した光は、レンズ３３を介して受光素子３４に入射するように構成されている。
【００３９】
また、抽出カートリッジ２は、図２および図４に示すように、抽出カートリッジ２に形成された２つの取付孔２１に上記した分析ユニット１の係合フック１５を各々係合させることによって分析ユニット１に着脱可能に固定されている。この抽出カートリッジ２は、血糖値の測定毎に交換して使用可能なように構成されている。
【００４０】
ここで、第１実施形態では、抽出カートリッジ２は、図５および図６に示すように、アクリル製の樹脂からなるカートリッジ本体２２と、純水を保持する媒体として機能するメッシュシート２３と、陽極２４および陰極２５と、グルコースを検知するため検知部３（図７参照）を構成するセンサ部材２６と、両面テープ２７と、実質的に絶縁体の電極シート２８とを含んでいる。カートリッジ本体２２には、図６に示すように、四角形状の凹状の段差部２２ａが設けられている。また、段差部２２ａの中央部には、図５に示すように、カートリッジ本体２２の下面にまで達する貫通孔２２ｂが形成されている。また、段差部２２ａの貫通孔２２ｂを挟んで対向する位置には、それぞれ、円形状の凹部２２ｃが形成されている。この２つの凹部２２ｃには、後述する陽極２４および陰極２５の端子部２４ｃおよび２５ｃが各々嵌め込まれる。貫通孔２２ｂの内部には、メッシュシート２３と、活性炭電極２４ｂおよび２５ｂと、作用部２４ｄおよび２５ｄとが保持されている。また、電極シート２８は、凹状の段差部２２ａに嵌め込まれるとともに、作用部２４ｄおよび２５ｄと、センサ部材２６との間に配置されている。この電極シート２８には、約９ｍｍ×約３ｍｍの大きさの開口部２８ａが形成されている。センサ部材２６の計測面２６ａは、上記電極シート２８の開口部２８ａを介してメッシュシート２３側に露出している。
【００４１】
また、第１実施形態では、図５に示すように、メッシュシート２３は、活性炭電極２４ｂおよび２５ｂの下面に接触するとともに、約２０μｍの厚みを有する両面テープ２７により、カートリッジ本体２２の下面側から固定されている。この両面テープ２７は、皮膚の測定箇所（抽出部位）を規定する開口部２７ａを有しており、カートリッジ本体２２の下面全体に渡って貼り付けられている。メッシュシート２３は、グルコースの抽出時には純水を含んだ状態になる。また、メッシュシート２３は、両面テープ２７の開口部２７ａを介して被験者の手首１２０の皮膚の盛り上がりにより上方に向けて押し上げられることにより、センサ部材２６の下面に接触するように構成されている。第１実施形態において使用されるメッシュシート２３は、ナイロン製で、約１０ｍｍの長さ、約４ｍｍの幅、および、約５０μｍの厚みを有している。なお、メッシュシート２３の厚みは、好ましくは約１μｍ以上約１ｍｍ（１０００μｍ）以下であり、より好ましくは、約３０μｍ以上約１ｍｍ（１０００μｍ）以下である。このように、約３０μｍ以上の厚みを有するメッシュシート２３を用いれば、測定時の皮膚からの押圧力などによりメッシュシート２３が破損するのを容易に抑制することができる。
【００４２】
また、約１ｍｍ（１０００μｍ）以下の厚みを有するメッシュシート２３を用いることによって、約１ｍｍ（１０００μｍ）より大きい厚みを有するメッシュシート２３を用いる場合に比べて、被験者の皮膚から抽出されたグルコースがセンサ部材２６の計測面２６ａに到達するまでの時間を短縮することができるので、グルコースの抽出を開始してからセンサ部材２６がグルコースを検出するまでの時間を短縮することが可能になる。これにより、グルコースや血糖値の測定時間を短縮することが可能である。このメッシュシート２３は、可撓性を有する一方、実質的に伸縮性を有さず、厚みがほとんど変化しないように構成されている。また、メッシュシート２３は、約３０μｍの太さのナイロン繊維を編み込んで形成されており、縦横それぞれ約３３μｍの正方形状の網目構造を有している。すなわち、メッシュシート２３は、網目を構成する多数の孔を有する多孔質構造を有している。なお、被験者の手首１２０の皮膚と、陽極２４および陰極２５との間の距離は、メッシュシート２３の厚みとほぼ一致し、第１実施形態では、約５０μｍである。
【００４３】
陽極２４および陰極２５は、図５および図７に示すように、それぞれ、塩化銀（ＡｇＣｌ）からなる集電極２４ａおよび２５ａと、多孔質導電物質としての活性炭からなる活性炭電極２４ｂおよび２５ｂとにより構成されている。集電極２４ａおよび２５ａは、カートリッジ本体２２の段差部２２ａに形成された２つの凹部２２ｃに各々嵌め込まれた円形状の端子部２４ｃおよび２５ｃと、端子部２４ｃおよび２５ｃに各々接続された作用部２４ｄおよび２５ｄとにより構成されている。また、活性炭電極２４ｂおよび２５ｂは、集電極２４ａおよび２５ａの作用部２４ｄおよび２５ｄの下方に各々貼り付けられており、約１０００ｍ２／ｇ〜約３０００ｍ２／ｇの比表面積を有している。陽極２４の端子部２４ｃおよび陰極２５の端子部２５ｃは、分析ユニット１に設けられた直流方式の定電圧電源１３に接続されている。
【００４４】
また、センサ部材２６は、図５に示すように、電極シート２８の上面に配置されている。このセンサ部材２６は、下面側にグルコースの分析を行う計測面２６ａを有している。この計測面２６ａには、グルコースが反応することに起因して発色する発色色素と、所定の酵素とを含む混合ゲルが塗布され、その混合ゲルを乾燥させる処理が施されている。
【００４５】
具体的には、センサ部材２６の計測面２６ａには、グルコースに対する触媒としての酸化酵素であるグルコースオキシダーゼ（ＧＯＤ）と、グルコースがＧＯＤを触媒として反応することによって生成される過酸化水素（Ｈ２Ｏ２）に対する触媒としての酸化還元酵素であるペルオキシダーゼ（ＰＯＤ）と、Ｈ２Ｏ２がＰＯＤを触媒として反応することによって生成されるＯ＊（活性酸素）と反応して発色する発色色素とをゲルに混合した混合ゲルが塗布され、その混合ゲルを乾燥させる処理が施されている。
【００４６】
また、センサ部材２６は、図７に示すように、ガラス製の基板２６ｂと、基板２６ｂの下方に取り付けられた第１光導波路層２６ｃと、第１光導波路層２６ｃの下方の中央部に取り付けられた第２光導波路層２６ｄと、第２光導波路層２６ｄを挟むように第１光導波路層２６ｃの下方に形成された保護膜２６ｅと、保護膜２６ｅの外側を覆う遮光層２６ｆとにより構成されている。第１光導波路層２６ｃは、基板２６ｂより高い屈折率を有している。また、第２光導波路層２６ｄは、側方が傾斜した台形状を有するとともに、第１光導波路層２６ｃより高い屈折率を有している。センサ部材２６の計測面２６ａは、第２光導波路層２６ｄのうちの保護膜２６ｅから露出した部分であり、図５に示すように、測定時にはメッシュシート２３の上面と接触する。このセンサ部材２６と、上記した分析ユニット１の単色光源３１、レンズ３２、レンズ３３および受光素子３４とにより、第１実施形態の検知部３が構成されている。
【００４７】
次に、図３、図４、図６および図８〜図１１を参照して、上記した血糖値測定装置１００に装着される未使用の抽出カートリッジ２を収容した抽出カートリッジセット２００の構成について説明する。
【００４８】
第１実施形態による抽出カートリッジセット２００は、血糖値測定装置１００に装着される前の未使用の抽出カートリッジ２を乾燥した状態で収容するとともに、血糖値測定装置１００に装着する際には、抽出カートリッジ２のメッシュシート２３に所定量の純水を含ませることが可能なように構成されている。第１実施形態による抽出カートリッジセット２００は、図８および図９に示すように、支持部材４０と、上述した抽出カートリッジ２（図９参照）と、乾燥剤５０（図９参照）と、液体供給部材６０（図９参照）と、分離部材７０とを備えている。
【００４９】
支持部材４０は、可撓性を有するシート状に形成されている。この支持部材４０は、ＰＥＴ（ポリエチレンテレフタレート）と、アルミ箔と、ポリエチレンとをこの順番に積層した３層構造を有している。また、支持部材４０は、ポリエチレン層が内側になるようにＵ字状に折り曲げられている。また、支持部材４０は、カートリッジ支持部４１と、カートリッジ支持部４１と対向して配置される液体供給部材支持部４２と、カートリッジ支持部４１および液体供給部材支持部４２を連結する折り曲げ部４３とから構成されている。また、カートリッジ支持部４１の２つの角部４１ａと液体供給部材支持部４２の２つの角部４２ａとは、図８に示すように、角部４１ａおよび４２ａの表面を構成するポリエチレン層が熱により溶着されることにより固定されている。これにより、支持部材４０は、実質的に袋のような形状に構成されるので、カートリッジ支持部４１、液体供給部材支持部４２および折り曲げ部４３により囲まれる領域内に抽出カートリッジ２および液体供給部材６０を保持（収容）することが可能になる。なお、カートリッジ支持部４１の角部４１ａと液体供給部材支持部４２の角部４２ａとの固定状態は、容易に解除することが可能な溶着力で溶着されている。
【００５０】
抽出カートリッジ２は、図９に示すように、支持部材４０のカートリッジ支持部４１の内面側に一対の弱粘着性の両面テープ８１により容易に離脱可能なように接着されている。また、抽出カートリッジ２は、メッシュシート２３の皮膚に配置される側の面が液体供給部材６０側（図９の上向き）になるように配置されている。
【００５１】
乾燥剤５０は、抽出カートリッジ２と所定の間隔を隔てた位置に配置されており、支持部材４０のカートリッジ支持部４１の内面側に接着剤８２により強固に固定されている。乾燥剤５０は、抽出カートリッジ２のメッシュシート２３（図６参照）が空気中の水分などを吸収して湿った状態になるのを抑制するために設けられている。
【００５２】
液体供給部材６０は、不織布である脱脂綿（カット綿）からなり、約１５ｍｍの長さ、約１５ｍｍの幅、および、約５０μｍの厚みを有する。また、液体供給部材６０は、所定量（第１実施形態では、約１５０μｌ）の純水を吸収保持している。なお、第１実施形態で使用する純水は、１８．３ＭΩ・ｃｍの電気抵抗率（比抵抗）を有しており、実質的に絶縁体（非導電性物質）である。この液体供給部材６０は、図９に示すように、支持部材４０のカートリッジ支持部４１に取り付けられた抽出カートリッジ２のメッシュシート２３と対向するように、支持部材４０の液体供給部材支持部４２の内面側に接着剤８３により強固に固定されている。上記のように、抽出カートリッジ２のセンサ部材２６の計測面２６ａ側に配置された電極シート２８の開口部２８ａ（約９ｍｍ×約３ｍｍ）よりも大きい面積の液体供給部材６０（約１５ｍｍ×約１５ｍｍ）を用いることによって、抽出カートリッジ２と液体供給部材６０との接触時に互いの位置が多少ずれたとしても、確実に液体供給部材６０から抽出カートリッジ２のメッシュシート２３に純水を供給することが可能である。なお、第１実施形態では、液体供給部材６０が吸収している純水（約１５０μｌ）のうち約１％の純水（約１．５μｌ）が、液体供給部材６０から抽出カートリッジ２のメッシュシート２３に供給される。このように、液体供給部材６０が吸収保持している純水のうちの一部をメッシュシート２３に供給することによって、液体供給部材６０が吸収保持している純水が多少蒸発したとしても、適切な量の純水をメッシュシート２３に供給することができるため、抽出カートリッジ２の保存期間を長くすることができる。
【００５３】
分離部材７０は、上記した支持部材４０と同様、可撓性を有するシート状に形成されており、ＰＥＴ（ポリエチレンテレフタレート）層（内表面）と、アルミ箔と、ポリエチレン層（外表面）とからなる３層構造を有している。この分離部材７０は、図８および図９に示すように、Ｕ字状の支持部材４０のカートリッジ支持部４１、液体供給部材支持部４２および折り曲げ部４３により囲まれる領域内に収容されている。また、分離部材７０のポリエチレン層からなる外表面の所定部分が、支持部材４０のポリエチレン層からなる内表面の所定部分に対して熱による溶着により取り付けられている。分離部材７０は、図９に示すように、支持部材４０のカートリッジ支持部４１に対向して配置されるカートリッジ収容部７１と、支持部材４０の液体供給部材支持部４２に対向して配置される液体供給部材収容部７２と、カートリッジ収容部７１および液体供給部材収容部７２に挟まれて配置される挟持部７３とを含んでいる。カートリッジ収容部７１および液体供給部材収容部７２は、図１０に示すように、挟持部７３の所定の辺７３ａから２つに分離して延びるように、挟持部７３に一体的に形成されている。
【００５４】
カートリッジ収容部７１は、図９、図１０および図１１に示すように、支持部材４０のカートリッジ支持部４１との間に抽出カートリッジ２および乾燥剤５０を収容可能な凹部７１ａを有している。このカートリッジ収容部７１の凹部７１ａは、平面的に見て五角形のホームベース形状を有している。また、カートリッジ収容部７１の凹部７１ａの周囲は、図１１に示すように、外表面を構成するポリエチレン層が熱により支持部材４０の内表面を構成するポリエチレン層に溶着されることにより支持部材４０のカートリッジ支持部４１の内面側に固定されている。これにより、支持部材４０のカートリッジ支持部４１および分離部材７０のカートリッジ収容部７１の凹部７１ａにより形成される外部から密閉された空間内に、抽出カートリッジ２および乾燥剤５０を保持することが可能になる。その結果、支持部材４０および分離部材７０により形成される空間内に抽出カートリッジ２を乾燥した状態で保存することが可能である。また、カートリッジ収容部７１の凹部７１ａをホームベース形状に形成することにより、凹部７１ａを四角形状に形成する場合と異なり、カートリッジ収容部７１の凹部７１ａの角部７１ｂを起点として分離部材７０が支持部材４０から剥離されるので、小さい力で、容易に分離部材７０を支持部材４０から取り外すことが可能である。
【００５５】
液体供給部材収容部７２は、支持部材４０の液体供給部材支持部４２との間に純水を含んだ状態の液体供給部材６０を収容可能な凹部７２ａを有している。この液体供給部材収容部７２の凹部７２ａは、平面的に見て五角形のホームベース形状を有している。また、液体供給部材収容部７２の凹部７２ａの周囲は、外表面を構成するポリエチレン層が熱により支持部材４０の内表面を構成するポリエチレン層に溶着されることにより支持部材４０の液体供給部材支持部４２の内面側に固定されている。これにより、支持部材４０の液体供給部材支持部４２および分離部材７０の液体供給部材収容部７２の凹部７２ａより形成される外部から密閉された空間内に、純水を含んだ液体供給部材６０を保持することが可能になる。また、液体供給部材収容部７２の凹部７２ａをホームベース形状に形成することにより、凹部７２ａを四角形状に形成する場合と異なり、液体供給部材収容部７２の凹部７２ａの角部７２ｂを起点として分離部材７０が支持部材４０から剥離されるので、小さい力で、容易に分離部材７０を支持部材４０から取り外すことが可能である。
【００５６】
挟持部７３は、分離部材７０を支持部材４０から取り外す際に被験者によって挟持されるために設けられている。この挟持部７３は、図９に示すように、支持部材４０の折り曲げ部４３と対向する位置から所定の長さだけ外部に向かって突出している。この挟持部７３の突出した部分を被験者が挟持して矢印Ｃ方向に引っ張ることによって、その引っ張り力が挟持部７３を介してカートリッジ収容部７１および液体供給部材収容部７２に伝達されるので、カートリッジ収容部７１および液体供給部材収容部７２を、各々の凹部７１ａおよび７２ａの角部７１ｂおよび７２ｂを起点として支持部材４０のカートリッジ支持部４１および液体供給部材支持部４２から徐々に剥離させることが可能である。
【００５７】
図１４は、図１に示した血糖値測定装置を使用した血糖値測定の動作手順を示したフローチャートである。図１５〜図１９は、図８に示した第１実施形態による抽出カートリッジセットから抽出カートリッジを取り出す際の動作を説明するための図である。図２０は、抽出カートリッジセットの液体供給部材に吸収保持されている純水量と、液体供給部材から抽出カートリッジのメッシュシートに転写（供給）された純水量との関係を示した相関図である。図２１〜図２４は、図１に示した血糖値測定装置を用いたグルコースの抽出原理を説明するための模式図である。次に、図１、図５、図６、図９および図１２〜図２４を参照して、血糖値測定装置１００を用いた血糖値測定の動作手順を説明する。
【００５８】
まず、図１４に示したステップＳ１において、被験者の手首１２０にバンド部材１１０を装着する。このとき、測定箇所（抽出部位）がバンド部材１１０の固定具の開口（図示せず）内に位置するようにバンド部材１１０を装着する。
【００５９】
ここで、第１実施形態では、ステップＳ２において、被験者は、未使用の抽出カートリッジ２を抽出カートリッジセット２００から取り出す。具体的には、被験者は、図８および図９に示した抽出カートリッジセット２００の支持部材４０のカートリッジ支持部４１の外面側と液体供給部材支持部４２の外面側とを、２つの指を用いて矢印Ａ方向および矢印Ｂ方向から挟み込むことにより抽出カートリッジセット２００を保持する。この抽出カートリッジセット２００には、未使用の乾燥した抽出カートリッジ２と、所定量（約１５０μｌ）の純水を吸収保持している液体供給部材６０とが互いに接触しない状態で収容されている。そして、被験者は、抽出カートリッジセット２００の支持部材４０から外部に突出した分離部材７０の挟持部７３を、指を用いて挟持するとともに矢印Ｃ方向に引っ張る。これにより、図１５および図１６に示すように、分離部材７０の挟持部７３が矢印Ｃ方向に移動される。この挟持部７３の矢印Ｃ方向への移動に伴って、分離部材７０のカートリッジ収容部７１および液体供給部材収容部７２が、カートリッジ収容部７１の凹部７１ａの角部７１ｂと、液体供給部材収容部７２の凹部７２ａの角部７２ｂとを起点として、支持部材４０のカートリッジ支持部４１および液体供給部材支持部４２から徐々に剥離される。
【００６０】
そして、図１７に示すように、乾燥した抽出カートリッジ２と純水を吸収保持している液体供給部材６０との間から分離部材７０が取り除かれるとともに、支持部材４０のカートリッジ支持部４１および液体供給部材支持部４２が被験者の指により矢印Ａ方向および矢印Ｂ方向から押圧される。これにより、乾燥した抽出カートリッジ２のメッシュシート２３と純水を吸収保持している液体供給部材６０とが接触して、液体供給部材６０に吸収保持されている純水（約１５０μｌ）のうちの約１％（約１．５μｌ）が抽出カートリッジ２のメッシュシート２３（図６参照）に転写（供給）される。
【００６１】
ここで、図２０を参照して、第１実施形態による転写（供給）方法を用いた場合の転写精度（転写率）および再現性について行った実験について説明する。図２０では、横軸に、カット綿からなる液体供給部材６０に吸収保持されている純水量（μｌ）が取られており、縦軸に、液体供給部材６０からナイロン製のメッシュシート２３に転写された純水量（μｌ）が取られている。この実験では、７５μｌ、１５０μｌおよび２００μｌの純水を吸収保持した３種類の液体供給部材６０について、それぞれ３回ずつ、メッシュシート２３と接触させることにより液体供給部材６０からメッシュシート２３への純水の転写を行った。そして、液体供給部材６０からメッシュシート２３への純水の転写量を各々測定した。その結果、図２０に示すように、液体供給部材６０に吸収保持されている純水量が７５μｌの場合には、液体供給部材６０からメッシュシート２３に転写された純水量の平均値は、約０．４０μｌであった。また、液体供給部材６０に吸収保持されている純水量が１５０μｌの場合には、液体供給部材６０からメッシュシート２３に転写された純水量の平均値は、約１．４０μｌであった。また、液体供給部材６０に吸収保持されている純水量が２００μｌの場合には、液体供給部材６０からメッシュシート２３に転写された純水量の平均値は、約１．９０μｌであった。
【００６２】
これにより、液体供給部材６０に吸収保持されている純水量が７５μｌの場合には、液体供給部材６０からメッシュシート２３への純水の転写量の平均値（約０．４０μｌ）は、液体供給部材６０に吸収保持されている純水量（７５μｌ）の約０．５％程度であることが判明した。また、液体供給部材６０に吸収保持されている純水量が１５０μｌの場合には、液体供給部材６０からメッシュシート２３への純水の転写量の平均値（約１．４０μｌ）は、液体供給部材６０に吸収保持されている純水量（１５０μｌ）の約１．０％程度であることが判明した。また、液体供給部材６０に吸収保持されている純水量が２００μｌの場合には、液体供給部材６０からメッシュシート２３への純水の転写量の平均値（約１．９０μｌ）は、液体供給部材６０に吸収保持されている純水量（２００μｌ）の約１．０％程度であることが判明した。この結果、液体供給部材６０に吸収保持されている純水の量が多い（１５０μｌおよび２００μｌ）場合には、液体供給部材６０に吸収保持されている純水の量が少ない（７５μｌ）場合（約０．５％の転写率）に比べて、液体供給部材６０からメッシュシート２３への純水の転写率（液体供給部材６０に含まれる純水量に対する転写量の割合）が大きくなる（約１．０％の転写率）ことがわかった。これは、液体供給部材６０に吸収保持されている純水の量が少ないと、純水が液体供給部材６０から外部に移動しにくくなるためであると考えられる。
【００６３】
また、液体供給部材６０に吸収保持されている純水量が１５０μｌの場合と２００μｌの場合とで、液体供給部材６０からメッシュシート２３への純水の転写率にほとんど差が生じないことがわかった。これにより、液体供給部材６０に吸収保持されている純水量が比較的多い（約１５０μｌ）場合には、カット綿（脱脂綿）からなる液体供給部材６０からナイロン製のメッシュシート２３への純水の転写率が約１．０％で安定する傾向にあることがわかった。また、転写量の再現性としてのＣＶ（変動係数：実質的なデータのばらつきを評価する尺度）値は、約１０％程度であった。このことから、カット綿（脱脂綿）からなる液体供給部材６０からナイロン製のメッシュシート２３への純水の転写の再現性も十分に高いことが判明した。
【００６４】
上記のように、液体供給部材６０から純水をメッシュシート２３に転写した後、支持部材４０のカートリッジ支持部４１の２つの角部４１ａと液体供給部材支持部４２の２つの角部４２ａとの固定状態を解除して、支持部材４０の液体供給部材支持部４２を折り曲げ部４３を支点として図１７に示す矢印Ｄ方向に回動させることによって、図１８および図１９に示す状態にする。そして、所定量（約１．５μｌ）の純水を含んだメッシュシート２３を含む抽出カートリッジ２をカートリッジ支持部４１に片面が取り付けられた一対の両面テープ８１から取り外す。
【００６５】
そして、ステップＳ３において、抽出カートリッジ２の一対の取付孔２１に血糖値測定装置１００の一対の係合フック１５を係合させることにより、血糖値測定装置１００に所定量（約１．５μｌ）の純水を含んだメッシュシート２３を含む未使用の抽出カートリッジ２を取り付ける。そして、ステップＳ４において、図１３に示すように、ニードルローラ１３０（図１２参照）を用いて抽出部位の皮膚に複数の微細な抽出孔１２１を形成することにより、前処理を行う。このニードルローラ１３０を用いた前処理により皮膚に形成された抽出孔１２１には、図２１に示すように、皮膚の真皮中にもともと溜まっていたグルコースを含む体液が徐々に滲み出してくる。そして、ステップＳ５において、血糖値測定装置１００をバンド部材１１０の固定具に取り付ける。これにより、抽出カートリッジ２の下面側が被験者の皮膚に接触した状態で、血糖値測定装置１００が被験者の手首１２０に装着される。具体的には、図５に示すように、手首１２０の測定箇所（抽出部位）がバンド部材１１０（図１参照）の締め付けにより盛り上がることにより、メッシュシート２３と皮膚とが接触するとともに、メッシュシート２３の中央部が上方向に移動してセンサ部材２６の下面（計測面２６ａ）に接触した状態になる。
【００６６】
このとき、図２２に示すように、メッシュシート２３に含まれる純水が皮膚に形成された抽出孔１２１の内部に入っていく。そして、図２３に示すように、皮膚の抽出孔１２１に滲み出た体液とメッシュシート２３からの純水とが混ざり合うことにより、抽出孔１２１内部の体液がメッシュシート２３に保持されている純水中に拡散される。これにより、抽出孔１２１の内部の浸透圧が皮膚の真皮の浸透圧に比べて低くなるので、再び、真皮から体液が抽出孔１２１に滲み出す。その結果、抽出カートリッジ２の陽極２４および陰極２５に定電圧電源１３から電圧を印加する前に、皮膚に形成された抽出孔１２１を介して滲み出てきた体液がメッシュシート２３に保持されている純水中にある程度拡散された状態になる。この状態で、図１４のステップＳ６において、血糖値測定装置１００の測定開始スイッチ（図示せず）を押すことによって、定電圧電源１３により定電圧（０．８Ｖ）を陽極２４および陰極２５に約３分間印加する。これにより、抽出孔１２１に存在する電荷を帯びたイオン成分が陽極２４および陰極２５に向かって積極的に移動するので、図２４に示すように、生体から検知部３によって検知可能な量のグルコースを含む体液がメッシュシート２３に保持された純水中に収集される。
【００６７】
ここで、抽出カートリッジ２の陽極２４および陰極２５に電圧を印加することによるメッシュシート２３に保持された純水への体液の収集のメカニズムについて説明する。定電圧電源１３により陽極２４および陰極２５に電圧が印加されると、陽極２４側の集電極２４ａは、正（＋）の電荷を帯びるとともに、陰極２５側の集電極２５ａは、負（−）の電荷を帯びる。陽極２４の集電極２４ａおよび陰極２５の集電極２５ａの下方に各々貼り付けられた活性炭電極２４ｂおよび２５ｂは、分極性を有している。このため、陽極２４側の活性炭電極２４ｂ内の下部は、正（＋）に帯電し、陰極２５側の活性炭電極２５ｂ内の下部は、負（−）に帯電する。これにより、抽出孔１２１内部に抽出されている体液に含まれるナトリウムイオン（Ｎａ＋）および塩化物イオン（Ｃｌ−）が、それぞれ、活性炭電極２５ｂおよび活性炭電極２４ｂに向かってメッシュシート２３に保持された純水中を移動する。この体液中のナトリウムイオン（Ｎａ＋）および塩化物イオン（Ｃｌ−）の活性炭電極２５ｂおよび２４ｂへの移動に伴って、体液中のグルコースなどの生化学成分が、メッシュシート２３に保持された純水中に移動する。そして、グルコースなどの生化学成分は、センサ部材２６の計測面２６ａに到達する。
【００６８】
ステップＳ６と並行して、ステップＳ７において、センサ部材２６を用いてグルコース量を測定する。このステップＳ７でのグルコース量の算出は、定電圧電源１３が陽極２４および陰極２５に定電圧を印加している間に、所定時間ごと（例えば１秒ごと）に継続して行われる。
【００６９】
具体的には、第１実施形態のセンサ部材２６の計測面２６ａに塗布された混合ゲル中の酸化酵素であるグルコースオキシダーゼ（ＧＯＤ）が触媒として作用することにより、計測面２６ａに到達したグルコースから過酸化水素（Ｈ２Ｏ２）およびグルコン酸が生成される。次に、センサ部材２６の計測面２６ａに塗布されている混合ゲル中の酸化還元酵素であるペルオキシダーゼ（ＰＯＤ）が触媒として作用することにより、過酸化水素（Ｈ２Ｏ２）から活性酸素（Ｏ＊）および水（Ｈ２Ｏ）が生成される。そして、センサ部材２６の計測面２６ａに塗布されている混合ゲル中の発色色素が、生成された活性酸素（Ｏ＊）と反応することにより発色する。
【００７０】
これにより、純水を含んだメッシュシート２３に接しているセンサ部材２６の第２光導波路層２６ｄ（図７参照）内を全反射しながら通過する光は、生体から抽出されたグルコースの量に応じて発色する発色色素により吸収された後、受光素子３４に到達する。この受光素子３４から出力される信号に基づいて、制御部１１がグルコース量を算出する。なお、純水に含有される発色色素としては、たとえば、Ｎ，Ｎ−ビス（２−ヒドロキシ−３−サルフォプロピル）トリジンジカリウム塩、および、３，３’，５，５’−テトラメチルベンジリデンなどを用いることができる。そして、ステップＳ８において、制御部１１により、ステップＳ７で１秒ごとに算出したグルコース量から以下の式（１）の解析法に基づいて血糖値を算出するとともに、算出された単位時間当たりのグルコース抽出量および血糖値を表示部１２（図１参照）に表示する。
【００７１】
ＢＧ  ＝  Ｃ／Ｐ
＝  Ｃ／（Ａ×Ｉ＋Ｂ）      ・・・（１）
なお、上記式（１）において、「ＢＧ」は、算出血糖値を表し、「Ｃ」は、ステップＳ７で得られる１秒ごとのグルコース量から算出される単位時間当たりのグルコース抽出量を表し、「Ｐ」は、抽出部位のグルコース透過率（グルコースの通しやすさ）を表し、「Ｉ」は、電圧の印加中に電流計１４により測定された平均電流値を表している。また、「Ａ」および「Ｂ」は、予め実験により決定された定数である。そして、図１４のステップＳ９において、バンド部材１１０の固定具から血糖値測定装置１００を取り外す。
【００７２】
そして、ステップＳ１０において、抽出カートリッジ２の一対の取付孔２１と、血糖値測定装置１００の一対の係合フック１５との係合状態を解除することにより、血糖値測定装置１００から使用済の抽出カートリッジ２を取り外す。この使用済の抽出カートリッジ２は、破棄してもよいし、適切な処理を施して再利用してもよい。その後、ステップＳ１１において、被験者の手首１２０からバンド部材１１０を取り外す。これにより、血糖値測定装置１００を用いた血糖値測定が終了する。
【００７３】
第１実施形態では、上記のように、所定量（約１５０μｌ）の純水を吸収しているとともに、抽出カートリッジ２の乾燥したナイロン製のメッシュシート２３と接触することによってメッシュシート２３に純水を供給する脱脂綿（カット綿）からなる液体供給部材６０を設けることによって、抽出カートリッジ２の保存状態（カートリッジ使用前のメッシュシート２３の液体（純水）保持量）にかかわらず、液体供給部材６０からメッシュシート２３に純水を供給することができるので、抽出カートリッジ２の保存期間が従来のものより長くなった。また、所定量の純水を吸収した液体供給部材６０を用いてメッシュシート２３に純水を供給することによって、簡単な操作で、一定量の純水をメッシュシート２３に供給することができる。
【００７４】
また、第１実施形態では、上記のように、所定量（約１５０μｌ）の純水を吸収しているとともに、抽出カートリッジ２の乾燥したナイロン製のメッシュシート２３と接触することによってメッシュシート２３に純水を供給する脱脂綿（カット綿）からなる液体供給部材６０を設けることによって、脱脂綿（カット綿）からなる液体供給部材６０は、接触により供給する純水の量がほぼ一定であるので、極めて微量（第１実施形態では、約１．５μｌ）の純水をメッシュシート２３に供給する場合にも、メッシュシート２３への純水の供給量を正確に制御することができる。
【００７５】
また、第１実施形態では、上記のように、抽出カートリッジ２と液体供給部材６０とを収容する支持部材４０と、支持部材４０に収容された抽出カートリッジ２のメッシュシート２３と液体供給部材６０とが接触しないように分離する分離部材７０とを設けることによって、抽出カートリッジ２と液体供給部材６０とは、分離部材７０で分離した状態で保存されているので、容易に抽出カートリッジ２を保存することができる。
【００７６】
また、第１実施形態では、上記のように、支持部材４０から分離部材７０を離脱することにより抽出カートリッジ２のメッシュシート２３と液体供給部材６０とを接触させるように抽出カートリッジセット２００を構成することによって、簡単な操作でメッシュシート２３に純水を供給することができる。
【００７７】
また、第１実施形態では、上記のように、抽出カートリッジ２のメッシュシート２３と液体供給部材６０とを直接接触させることによりメッシュシート２３に純水を供給するように構成することによって、純水が手や外部の部材に接触して汚染されるのを抑制することができるので、正確なグルコースの分析を行うことができる。
【００７８】
また、第１実施形態では、上記のように、メッシュシート２３を、抽出カートリッジ２の保存中には乾燥しているように構成することによって、センサ部材２６に含まれる酵素（グルコースオキシダーゼ（ＧＯＤ）およびペルオキシダーゼ（ＰＯＤ））が、水分と接触することに起因して、短時間で劣化してしまうのを抑制することができる。
【００７９】
また、第１実施形態では、上記のように、抽出カートリッジ２のメッシュシート２３と液体供給部材６０とが接触しないように分離する分離部材７０を設けることによって、分離部材７０により抽出カートリッジ２のメッシュシート２３と液体供給部材６０とを接触しないように分離した状態で、支持部材４０により抽出カートリッジ２のメッシュシート２３を収容することができるので、容易に、メッシュシート２３を乾燥した状態で保存することができる。
【００８０】
また、第１実施形態では、上記のように、抽出カートリッジ２のメッシュシート２３と液体供給部材６０とが分離部材７０を挟んで対向するように、抽出カートリッジ２と液体供給部材６０とを支持部材４０内に配置して収容することによって、抽出カートリッジ２のメッシュシート２３と液体供給部材６０との間の分離部材７０を取り除くだけで、容易に、メッシュシート２３と液体供給部材６０とを接触させることができる。
【００８１】
また、第１実施形態では、上記のように、支持部材４０を、可撓性を有する材料により構成することによって、支持部材４０から分離部材７０を離脱させる際に、指などを用いて支持部材４０のメッシュシート２３と液体供給部材６０とが収容されている部分を押圧して撓み変形させることにより、メッシュシート２３と液体供給部材６０とを接触させることができるので、容易に、液体供給部材６０が保持する純水をメッシュシート２３に供給することができる。
【００８２】
また、第１実施形態では、上記のように、分離部材７０の挟持部７３が、抽出カートリッジ２を収容するためのカートリッジ収容部７１と液体供給部材６０を収容するための液体供給部材収容部７２とに挟まれた状態で支持部材４０に収容されることによって、挟持部７３を被験者が挟持して引っ張ることによって、挟持部７３に一体的に形成されたカートリッジ収容部７１および液体供給部材収容部７２の両方に被験者による引っ張り力を伝達することができるので、カートリッジ収容部７１および液体供給部材収容部７２の両方を支持部材４０から離脱させることができる。これにより、容易に、抽出カートリッジ２と液体供給部材６０とを接触させることができる。
【００８３】
また、第１実施形態では、上記のように、多孔質構造を有するメッシュシート２３を用いることによって、容易に、複数の孔に液体供給部材６０から供給される純水を保持することができる。また、ナイロン製のメッシュシート２３を用いることによって、メッシュシート２３が被験者の皮膚に対して押圧されたときに、メッシュシート２３の厚みが変化するのを抑制することができるので、容易に、測定時の皮膚とセンサ部材２６との距離を一定に保つことができる。
【００８４】
また、第１実施形態では、上記のように、単一の抽出カートリッジ２が、血糖値測定装置１００の定電圧電源１３の陽極側に接続される陽極２４と、血糖値測定装置１００の定電圧電源１３の陰極側に接続される陰極２５とを有するように構成することによって、陽極２４に向かって移動するグルコースと、陰極２５に向かって移動するグルコースとの両方を１つの抽出カートリッジ２に収集することができるので、陽極２４および陰極２５に向かって移動するグルコースを陽極２４および陰極２５に対応して設けられた２つの抽出カートリッジに収集する場合に比べて、被験者の操作を簡略化することができる。
【００８５】
（第２実施形態）
図２６〜図２８は、本発明の第２実施形態による抽出カートリッジセットを示した図である。図２９は、第２実施形態による抽出カートリッジセットの分離部材を示した斜視図である。図３０〜図４４は、第２実施形態による抽出カートリッジセットの構造および動作を説明するための図である。図４５は、第２実施形態によるカートリッジ本体の材料に対するＩＭＸフィルムの溶着特性を示した図である。図２６〜図４５を参照して、この第２実施形態では、上記第１実施形態の抽出カートリッジセットとは異なる構造の抽出カートリッジセットを用いる場合について説明する。なお、第２実施形態の抽出カートリッジセット２００ａ以外の構造は、上記第１実施形態とほぼ同様である。
【００８６】
この第２実施形態による抽出カートリッジセット２００ａは、上記第１実施形態の抽出カートリッジセット２００と同様、血糖値測定装置１００に装着される未使用の抽出カートリッジ１５０のメッシュシート２３（図２７参照）やセンサ部材２６などを乾燥した状態で保持するとともに、血糖値測定装置１００に装着する際には、抽出カートリッジ１５０のメッシュシート２３に所定量の純水を含ませることが可能なように構成されている。この第２実施形態による抽出カートリッジセット２００ａは、図２７に示すように、乾燥剤５０と、上述した抽出カートリッジ１５０と、純水を吸収保持している液体供給部材１６０と、分離部材１７０と、収容部材１８０とを備えている。
【００８７】
抽出カートリッジ１５０は、図６に示した第１実施形態による抽出カートリッジ２と同様の構成を有するとともに、さらに把持部１５１ａが設けられている。すなわち、抽出カートリッジ１５０は、図２７に示すように、カートリッジ本体１５１と、取付孔２１と、メッシュシート２３と、活性炭電極２５ｂと、作用部２５ｄと、センサ部材２６と、両面テープ２７と、電極シート２８とを含んでいる。また、カートリッジ本体１５１には、抽出カートリッジ１５０から分離部材１７０を取り外す際に被験者によって把持される把持部１５１ａが側方に突出するように一体的に設けられている。この把持部１５１ａは、カートリッジ本体１５１よりも小さい厚みを有する。また、カートリッジ本体１５１の把持部１５１ａには、収容部材１８０が溶着により取り付けられている。また、カートリッジ本体１５１の一方表面１５１ｂは、分離部材１７０が接合される平面的に見て六角形状の接合領域１５１ｄ（図４３参照）を有し、カートリッジ本体１５１の他方表面１５１ｃは、分離部材１７０が接合される平面的に見て六角形状の接合領域１５１ｅ（図３０参照）を有する。また、カートリッジ本体１５１の他方表面１５１ｃには、乾燥剤５０がセンサ部材２６と所定の間隔を隔てて離脱可能に取り付けられている。
【００８８】
ここで、第２実施形態では、カートリッジ本体１５１は、ＰＥ（ポリエチレン）と、ＰＰ（ポリプロピレン）とが含有された樹脂により形成されている。なお、カートリッジ本体１５１のＰＥ（ポリエチレン）とＰＰ（ポリプロピレン）との含有比率（重量比率）は、好ましくは、ＰＥ：ＰＰ＝１：２〜２：１の範囲であり、より好ましくは、ＰＥ：ＰＰ＝１：１である。
【００８９】
また、第２実施形態では、分離部材１７０および収容部材１８０は、可撓性を有するシート状に形成されている。この分離部材１７０および収容部材１８０は、たとえば、下記の構成を有するジェイフィルム社製のＩＭＸフィルムからなる。すなわち、分離部材１７０および収容部材１８０は、ＰＥＴ（ポリエチレンテレフタレート）と、アルミ箔と、ＰＥ（ポリエチレン）含有層とをこの順番に積層した３層構造を有している。この場合、ＰＥ含有層が接合（融着）側になる。また、ＰＥＴおよびアルミ箔と、アルミ箔およびＰＥ含有層とは、それぞれ、ＰＥ（ポリエチレン）からなる接着層により接着されている。
【００９０】
ここで、第２実施形態では、分離部材１７０は、図２９に示すように、２つの接合部材１７１および接合部材１７２を互いに溶着させることにより構成されている。また、接合部材１７１は、接合面１７１ａと、分離部１７１ｂと、接合面１７１ｃと、把持部１７１ｄとを有している。接合面１７１ａおよび１７１ｃは、それぞれ、平面的に見て六角形状の接合部１７１ｅおよび１７１ｆを有している。また、接合部材１７１の接合面１７１ａは、接合部１７１ｅにより、平面的に見て六角形状に収容部材１８０（図２８参照）と接合されることにより液体供給部材収容部１９０を形成する。また、図２９に示す接合部材１７１の接合面１７１ｃは、接合部１７１ｆにより、平面的に見て六角形状にカートリッジ本体１５１の他方表面１５１ｃの接合領域１５１ｅ（図３０参照）に接合される。また、接合部材１７１の把持部１７１ｄは、分離部材１７０を抽出カートリッジ１５０から取り外す際に被験者によって把持されるために設けられている。
【００９１】
また、図２９に示すように、接合部材１７２は、接合面１７２ａと、分離部１７１ｂと接合する分離部１７２ｂとを有している。接合面１７２ａは、平面的に見て六角形状の接合部１７２ｃを有している。また、接合部材１７２の接合面１７２ａは、接合部１７２ｃにより、平面的に見て六角形状にカートリッジ本体１５１の一方表面１５１ｂの接合領域１５１ｄ（図４３参照）に接合される。また、分離部材１７０の接合面１７１ｃの接合部１７１ｆおよび接合面１７２ａの接合部１７２ｃが、それぞれ、カートリッジ本体１５１の他方表面１５１ｃの接合領域１５１ｅおよび一方表面１５１ｂの接合領域１５１ｄに接合されることにより、カートリッジ本体１５１の一方表面１５１ｂおよび他方表面１５１ｃの両面が分離部材１７０の接合面１７２ａおよび１７１ｃにより密閉されるように構成されている。これにより、抽出カートリッジ１５０のメッシュシート２３が分離部材１７０およびカートリッジ本体１５１により形成される密閉された領域に収納（保持）されている。
【００９２】
また、分離部材１７０の接合面１７１ｃの接合部１７１ｆのカートリッジ本体１５１の他方表面１５１ｃの接合領域１５１ｅに対する接合、および、分離部材１７０の接合面１７２ａの接合部１７２ｃのカートリッジ本体１５１の一方表面１５１ｂの接合領域１５１ｄに対する接合は、接合面１７１ｃの接合部１７１ｆおよび接合面１７２ａの接合部１７２ｃのＰＥ（ポリエチレン）含有層からなる外表面が、それぞれ、ＰＥ（ポリエチレン）を含有するカートリッジ本体１５１の他方表面１５１ｃの接合領域１５１ｅおよび一方表面１５１ｂの接合領域１５１ｄに対して熱により溶着されることにより行われている。なお、この溶着は、約１００℃〜約１８０℃（たとえば、約１４０℃）の熱を約０．１ｓｅｃ〜約１０ｓｅｃ（たとえば、約４ｓｅｃ）加えることにより行われる。
【００９３】
また、図２９に示した分離部１７１ｂと分離部１７２ｂとは、分離部１７１ｂのＰＥ（ポリエチレン）含有層からなる外表面が分離部１７２ｂのＰＥ（ポリエチレン）含有層からなる外表面に対して熱による溶着により接合されている。この分離部１７１ｂと分離部１７２ｂとの接合強度は、接合面１７１ｃとカートリッジ本体１５１の他方表面１５１ｃとの接合強度、接合面１７２ａとカートリッジ本体１５１の一方表面１５１ｂとの接合強度、および、接合面１７１ａと収容部材１８０との接合強度よりも大きい。この場合、分離部１７１ｂと分離部１７２ｂとの接合強度を大きくするために、約１００℃〜約１８０℃（たとえば、約１４０℃）の熱を約０．１ｓｅｃ〜約１０ｓｅｃ（たとえば、約４ｓｅｃ）加える工程を複数回（たとえば、２回）繰り返すことにより接合が行われる。
【００９４】
また、第２実施形態では、収容部材１８０は、図２８および図４３に示すように、接合部材１７１の接合面１７１ａ（図２８参照）と接合される収容部材接合面１８０ａと、カートリッジ本体１５１の把持部１５１ａの一方表面１５１ｆに接合される収容部材取付部１８０ｂとを含む。収容部材接合面１８０ａは、平面的に見て六角形状の収容部材接合部１８０ｃを有している。また、収容部材１８０の収容部材接合面１８０ａには、図４４に示すように、液体供給部材１６０が接着剤１６１により強固に固定されている。
【００９５】
また、分離部材１７０の接合部材１７１の接合面１７１ａと、収容部材１８０の収容部材接合面１８０ａとは、接合面１７１ａのＰＥ（ポリエチレン）含有層からなる外表面が収容部材接合面１８０ａの収容部材接合部１８０ｃのＰＥ（ポリエチレン）含有層からなる外表面に対して熱による溶着により接合されている。なお、この溶着は、約１００℃〜約１８０℃（たとえば、約１４０℃）の熱を約０．１ｓｅｃ〜約１０ｓｅｃ（たとえば、約４ｓｅｃ）加えることにより行われる。
【００９６】
また、収容部材１８０の収容部材取付部１８０ｂと、カートリッジ本体１５１の把持部１５１ａとは、収容部材取付部１８０ｂのＰＥ（ポリエチレン）含有層からなる外表面が、ＰＥ（ポリエチレン）を含有するカートリッジ本体１５１の把持部１５１ａの一方表面１５１ｆに対して熱による溶着により接合されている。なお、この溶着は、図４３および図４４に示すように、把持部１５１ａの一方表面１５１ｆの全体に約１００℃〜約１８０℃（たとえば、約１４０℃）の熱を約０．１ｓｅｃ〜約１０ｓｅｃ（たとえば、約４ｓｅｃ）加えることにより行われる。
【００９７】
液体供給部材収容部１９０は、分離部材１７０の接合面１７１ａの接合部１７１ｅが収容部材１８０の収容部材接合面１８０ａの収容部材接合部１８０ｃに平面的に見て六角形状に接合されることにより、袋状の密閉された領域に構成される。これにより、液体供給部材収容部１９０は、液体供給部材１６０を密閉状態で収納（保持）する機能を有している。
【００９８】
次に、図２６、図２８〜図４０および図４３を参照して、抽出カートリッジセット２００ａから分離部材１７０を取り外す際の動作について説明する。
【００９９】
まず、図２６および図２８に示すように、抽出カートリッジセット２００ａのカートリッジ本体１５１の把持部１５１ａを把持した状態で、分離部材１７０の把持部１７１ｄを把持するとともに、矢印Ｄ方向（離脱方向）に引っ張る。これにより、図３０および図３１に示すように、分離部材１７０の接合面１７１ｃは、接合面１７１ｃの矢印Ｄ方向（離脱方向）と反対側の接合端部にＥ１方向（剥離方向）の引っ張り力が加わることによって、接合面１７１ｃの矢印Ｄ方向（離脱方向）と反対側の接合端部から順次剥離される。このとき、分離部材１７０の接合面１７１ｃとカートリッジ本体１５１の他方表面１５１ｃとは、接合部１７１ｆおよび接合領域１５１ｅにより、六角形状に接合されているので、四角形状に接合されている場合と異なり、接合部１７１ｆの接合角部７１０ｆおよび接合領域１５１ｅの接合角部５１０ｅを起点として、接合面１７１ｃの接合部１７１ｆが他方表面１５１ｃの接合領域１５１ｃから剥離される。これにより、小さい力で、容易に、接合面１７１ｃを他方表面１５１ｃから離脱させることが可能である。
【０１００】
そして、図３２および図３３に示すように、分離部材１７０の接合面１７１ｃがカートリッジ本体１５１の他方表面１５１ｃから剥離した後も、カートリッジ本体１５１の把持部１５１ａを把持した状態で、分離部材１７０の把持部１７１ｄ（図２６参照）を把持するとともに、矢印Ｄ方向（離脱方向）に引っ張る。このとき、分離部材１７０の接合部材１７１の把持部１７１ｄに加えられる矢印Ｄ方向（剥離方向）の引っ張り力は、接合部材１７１の分離部１７１ｂと接合部材１７２の分離部１７２ｂとが接合されていることにより、接合部材１７１のみならず、接合部材１７２にも伝達される。これにより、図３４に示すように、分離部材１７０の接合部材１７２の接合面１７２ａは、接合面１７２ａの矢印Ｄ方向（離脱方向）と反対側の接合端部にＥ２方向（剥離方向）の引っ張り力が加わることによって、接合面１７２ａの矢印Ｄ方向（離脱方向）と反対側の接合端部から順次剥離される。同様に、分離部材１７０の接合部材１７１の接合面１７１ａは、接合面１７１ａの矢印Ｄ方向（離脱方向）と反対側の接合端部にＥ３方向（剥離方向）の引っ張り力が加わることによって、接合面１７１ａの矢印Ｄ方向（離脱方向）と反対側の接合端部から順次剥離される。
【０１０１】
このとき、分離部材１７０の接合面１７２ａとカートリッジ本体１５１の一方表面１５１ｂとは、接合部１７２ｃ（図２９参照）および接合領域１５１ｄ（図４３参照）により、六角形状に接合されているので、四角形状に接合されている場合と異なり、接合部１７２ｃの接合角部７２０ｃ（図２９参照）および接合領域１５１ｄの接合角部５１０ｄ（図４３参照）を起点として、接合面１７２ａの接合部１７２ｃが一方表面１５１ｂの接合領域１５１ｄから剥離される。これにより、小さい力で、容易に、接合面１７２ａを一方表面１５１ｂから離脱させることが可能である。同様に、分離部材１７０の接合面１７１ａと収容部材１８０の収容部材接合面１８０ａとは、接合部１７１ｅ（図２９参照）および収容部材接合部１８０ｃ（図４３参照）により、六角形状に接合されているので、四角形状に接合されている場合と異なり、接合部１７１ｅの接合角部（図示せず）および収容部材接合部１８０ｃの接合角部８００ｃ（図４３参照）を起点として、接合面１７１ａの接合部１７１ｅが収容部材接合面１８０ａの収容部材接合部１８０ｃから剥離される。これにより、小さい力で、容易に、接合面１７１ａを収容部材接合面１８０ａから離脱させることが可能である。
【０１０２】
そして、図３５〜図４０に示すように、分離部材１７０の接合面１７２ａおよび接合面１７１ａをカートリッジ本体１５１の一方表面１５１ｂおよび収容部材１８０の収容部材接合面１８０ａから順次剥離することにより、分離部材１７０が抽出カートリッジ１５０から離脱される。このようにして、抽出カートリッジセット２００ａから分離部材１７０が取り外される。
【０１０３】
上記のようにして、抽出カートリッジセット２００ａから分離部材１７０が取り外れた後の動作としては、図４１および図４２に示すように、被験者の指により収容部材１８０の液体供給部材１６０が装着されている面とは反対側の面を押圧することによって、純水を吸収保持している液体供給部材１６０を矢印Ｆ方向に押圧する。これにより、抽出カートリッジ１５０の乾燥したメッシュシート２３（図４３参照）と純水を吸収保持している液体供給部材１６０とが接触して、液体供給部材１６０に吸収保持されている純水が抽出カートリッジ１５０のメッシュシート２３に転写（供給）される。その後、図４３に示すように、収容部材１８０を矢印Ｇ方向に引っ張ることにより、収容部材１８０が抽出カートリッジ１５０から取り外される。
【０１０４】
第２実施形態では、上記のように、分離部材１７０を、収容部材１８０および抽出カートリッジ１５０に離脱可能に接合し、分離部材１７０が収容部材１８０および抽出カートリッジ１５０から離脱することにより、メッシュシート２３と液体供給部材１６０とが接触するように構成することによって、分離部材１７０を収容部材１８０および抽出カートリッジ１５０から離脱させるだけで、メッシュシート２３と液体供給部材１６０とを接触させることができる。これにより、容易に、液体供給部材１６０が保持する液体をメッシュシート２３に供給することができる。
【０１０５】
また、第２実施形態では、収容部材１８０に収容部材接合面１８０ａを設けるとともに、分離部材１７０に、収容部材１８０の収容部材接合面１８０ａと接合されている接合面１７１ａと、抽出カートリッジ１５０のカートリッジ本体１５１と接合されている接合面１７２ａおよび１７１ｃとを設けることによって、収容部材１８０の収容部材接合面１８０ａと分離部材１７０の接合面１７１ａとにより、液体供給部材１６０を収容するための密閉された領域を形成することができるとともに、メッシュシート２３を含む抽出カートリッジ１５０のカートリッジ本体１５１と接合面１７２ａおよび接合面１７１ｃとにより、密閉された領域を形成することができる。これにより、液体供給部材１６０および抽出カートリッジ１５０のメッシュシート２３を密閉状態で保持することができる。
【０１０６】
また、第２実施形態では、液体供給部材１６０を、収容部材１８０の収容部材接合面１８０ａに接着するとともに、収容部材１８０を、収容部材取付部１８０ｂが分離部材１７０の離脱後も抽出カートリッジ１５０と接合するように構成することによって、分離部材１７０が抽出カートリッジ１５０から離脱された後も液体供給部材１６０が収容部材１８０から外れることがないので、液体供給部材１６０の取り扱いが容易である。また、収容部材１８０の収容部材取付部１８０ｂを分離部材１７０の分離後も抽出カートリッジ１５０の把持部１５１ａと接合するとともに、液体供給部材１６０を収容部材１８０の収容部材接合面１８０ａのメッシュシート２３の対応する位置に接着することによって、容易に、液体供給部材１６０を抽出カートリッジ１５０のメッシュシート２３と対向するように配置することができる。その結果、分離部材１７０の離脱後に収容部材１８０の収容部材接合面１８０ａと反対の面を矢印Ｆ方向（図４２参照）に押圧することにより、容易に、液体供給部材１６０に保持される液体をメッシュシート２３に供給することができる。さらに、収容部材１８０の収容部材接合面１８０ａに液体供給部材１６０を接着することにより、収容部材１８０の収容部材接合面１８０ａと反対の面を指により矢印Ｆ方向（図４２参照）に押圧することによって、液体供給部材１６０に保持される液体をメッシュシート２３に供給することができる。これにより、指が収容部材１８０の収容部材接合面１８０ａ側の液体供給部材１６０およびメッシュシート２３に供給される液体に触れるのを防止することができるので、液体供給部材１６０およびメッシュシート２３に供給される液体が汚染されるのを防止することができる。
【０１０７】
また、第２実施形態では、収容部材１８０を、液体供給部材１６０が取り付けられる収容部材接合面１８０ａと、抽出カートリッジ１５０のカートリッジ本体１５１に離脱可能に接合される収容部材取付部１８０ｂとを含むように構成することによって、収容部材取付部１８０ｂにより、収容部材１８０が抽出カートリッジ１５０のカートリッジ本体１５１に対して離脱可能に接合されているので、液体供給部材１６０から抽出カートリッジ１５０のメッシュシート２３に液体を供給した後に、収容部材１８０を液体供給部材１６０とともに抽出カートリッジ１５０のカートリッジ本体１５１から離脱させることができる。
【０１０８】
また、第２実施形態では、抽出カートリッジ１５０を、抽出カートリッジ１５０から分離部材１７０を離脱する際に把持される把持部１５１ａを含むように構成することによって、分離部材１７０を離脱する際に、抽出カートリッジ１５０の把持部１５１ａを把持することができるので、容易に、分離部材１７０を抽出カートリッジ１５０から離脱させることができる。
【０１０９】
また、第２実施形態では、分離部材１７０を、収容部材１８０の収容部材接合面１８０ａに離脱可能に接合される接合部１７１ｅと、抽出カートリッジ１５０のメッシュシート２３と液体供給部材１６０とが接触しないように分離する分離部１７１ｂおよび１７２ｂと、カートリッジ本体１５１の一方表面１５１ｂに離脱可能に接合される接合部１７２ｃと、カートリッジ本体１５１の他方表面１５１ｃに離脱可能に接合される接合部１７１ｆとを含むように構成することによって、接合部１７１ｅ、接合部１７２ｃおよび接合部１７１ｆにより、収容部材１８０の液体供給部材１６０と抽出カートリッジ１５０のメッシュシート２３とを密閉状態で保持することができ、かつ、分離部１７１ｂおよび１７２ｂにより、液体供給部材１６０とメッシュシート２３とが接触しないように分離することができる。
【０１１０】
また、第２実施形態では、接合部１７１ｅ、接合部１７２ｃおよび接合部１７１ｆを、分離部材１７０の離脱方向（矢印Ｄ方向）に力が加えられることにより、分離部材１７０の離脱方向（矢印Ｄ方向）と反対側の接合端部に剥離方向（Ｅ３、Ｅ２およびＥ１方向）に引っ張り力が加わることにより、分離部材１７０の離脱方向（矢印Ｄ方向）と反対側の接合端部から順次剥離するように構成することによって、分離部材１７０に離脱方向（矢印Ｄ方向）の力を加えるだけで、容易に、接合部１７１ｅ、接合部１７２ｃおよび接合部１７１ｆを抽出カートリッジ１５０から離脱させることができる。
【０１１１】
また、第２実施形態では、分離部材１７０を、少なくとも抽出カートリッジ１５０から分離部材１７０を離脱する際に把持される把持部１７１ｄを含むように構成することによって、把持部１７１ｄを把持することにより、容易に、分離部材１７０に離脱方向（矢印Ｄ方向）の力を加えることができる。
【０１１２】
また、第２実施形態では、分離部材１７０を、ＰＥ（ポリエチレン）含有層を有するＩＭＸフィルムを含み、抽出カートリッジ１５０を、分離部材１７０が離脱可能に接合され、ＰＥ（ポリエチレン）とＰＰ（ポリプロピレン）とを含有するカートリッジ本体１５１を含むように構成することによって、カートリッジ本体１５１をＰＥ（ポリエチレン）のみにより形成した場合と異なり、分離部材１７０とカートリッジ本体１５１との低い溶着温度、および、分離部材１７０とカートリッジ本体１５１との間の剥離しやすい適度な接合強度を維持しながら、カートリッジ本体１５１の曲げ強度を向上させることができる。
【０１１３】
また、第２実施形態では、収容部材１８０を、ＰＥ（ポリエチレン）含有層を有するＩＭＸフィルムを含み、抽出カートリッジ１５０を、収容部材１８０が離脱可能に接合され、ＰＥ（ポリエチレン）とＰＰ（ポリプロピレン）とを含有するカートリッジ本体１５１を含むように構成することによって、カートリッジ本体１５１をＰＥ（ポリエチレン）のみにより形成した場合と異なり、収容部材１８０とカートリッジ本体１５１との低い溶着温度、および、収容部材１８０とカートリッジ本体１５１との間の剥離しやすい適度な接合強度を維持しながら、カートリッジ本体１５１の曲げ強度を向上させることができる。
【０１１４】
次に、上記第２実施形態の効果を確認するために行った比較実験について以下に説明する。なお、この比較実験では、カートリッジ本体１５１の材料にＰＥ（ポリエチレン）とＰＰ（ポリプロピレン）とを１：１の比率で混合した第２実施形態以外に、カートリッジ本体の材料にＰＥ（ポリエチレン）のみを用いた比較例１、カートリッジ本体の材料にＰＰ（ポリプロピレン）のみを用いた比較例２、および、カートリッジ本体の材料にＰＳ（ポリスチレン）のみを用いた比較例３についても、溶着温度、接合強度、曲げ強度およびバリア性について調べた。その結果を図４５に示す。図４５を参照して、溶着温度は、カートリッジ本体の材料にＩＭＸフィルムを溶着させるのに必要な温度である。また、接合強度は、カートリッジ本体の材料に溶着されたＩＭＸフィルムを剥離する際に必要な力の大きさである。また、曲げ強度は、カートリッジ本体の材料の曲げに対する機械的な強度である。また、バリア性は、６０℃の温度条件下で一週間放置された際に、カートリッジ本体の材料とカートリッジ本体の材料に溶着されたＩＭＸフィルムとにより形成された密閉された領域の内部に配置された水分が減少した重量である。
【０１１５】
図４５を参照して、第２実施形態によるカートリッジ本体１５１では、ＩＭＸフィルムを溶着させるのに必要な温度が１００℃であった。また、比較例１によるカートリッジ本体では、ＩＭＸフィルムを溶着させるのに必要な温度が１００℃であり、比較例２および３によるカートリッジ本体では、ＩＭＸフィルムを溶着させるのに必要な温度が１６０℃であった。この結果から、ＰＥ（ポリエチレン）とＰＰ（ポリプロピレン）とからなる第２実施形態によるカートリッジ本体１５１では、ＰＰ（ポリプロピレン）単体からなる比較例２およびＰＳ（ポリスチレン）単体からなる比較例３によるカートリッジ本体よりも低い溶着温度で、かつ、ＰＥ（ポリエチレン）単体からなる比較例１によるカートリッジ本体と同等の溶着温度（１００℃）を得ることができることが判明した。
【０１１６】
また、第２実施形態によるカートリッジ本体１５１では、溶着されたＩＭＸフィルムを剥離する際に必要な力の大きさが１００ｇであった。また、比較例１によるカートリッジ本体では、溶着されたＩＭＸフィルムを剥離する際に必要な力の大きさが１００ｇであり、比較例２および３によるカートリッジ本体では、溶着されたＩＭＸフィルムを剥離する際に必要な力の大きさが７００ｇであった。この結果から、ＰＥとＰＰとからなる第２実施形態によるカートリッジ本体１５１では、ＰＰ単体からなる比較例２およびＰＳ単体からなる比較例３によるカートリッジ本体よりも小さい剥離力で、かつ、ＰＥ単体からなる比較例１によるカートリッジ本体の場合と同等の剥離力（１００ｇ）で、ＩＭＸフィルムを剥離することができることが判明した。
【０１１７】
また、第２実施形態によるカートリッジ本体１５１では、曲げ強度が３００Ｋｇ／ｃｍ２であった。また、比較例１によるカートリッジ本体では、曲げ強度が１００Ｋｇ／ｃｍ２であり、比較例２によるカートリッジ本体では、曲げ強度が５００Ｋｇ／ｃｍ２であり、比較例３によるカートリッジ本体では、曲げ強度が８００Ｋｇ／ｃｍ２であった。この結果から、ＰＥとＰＰとからなる第２実施形態によるカートリッジ本体１５１では、ＰＰ単体からなる比較例２およびＰＳ単体からなる比較例３によるカートリッジ本体よりも曲げ強度が小さく、一方、ＰＥ単体からなる比較例１によるカートリッジ本体よりも曲げ強度が大きいことが判明した。
【０１１８】
また、第２実施形態によるカートリッジ本体１５１では、６０℃の温度条件下で一週間放置された際に、カートリッジ本体１５１とカートリッジ本体１５１に溶着されたＩＭＸフィルムとにより形成された密閉された領域の内部に配置された水分が１ｍｇ減少した。また、比較例１および２によるカートリッジ本体では、６０℃の温度条件下で一週間放置された際に、カートリッジ本体とカートリッジ本体に溶着されたＩＭＸフィルムとにより形成された密閉された領域の内部に配置された水分が１ｍｇ減少し、比較例３によるカートリッジ本体では、６０℃の温度条件下で一週間放置された際に、カートリッジ本体とカートリッジ本体に溶着されたＩＭＸフィルムとにより形成された密閉された領域の内部に配置された水分が１５ｍｇ減少することが判明した。この結果から、ＰＥとＰＰとからなる第２実施形態によるカートリッジ本体１５１では、ＰＳ単体からなる比較例３によるカートリッジ本体の場合よりもカートリッジ本体とカートリッジ本体に溶着されたＩＭＸフィルムとにより形成された領域に水分が浸入しにくく、かつ、ＰＥ単体からなる比較例１およびＰＰ単体からなる比較例２によるカートリッジ本体の場合と同等の水分の浸入しにくさ（バリア性）で、カートリッジ本体とカートリッジ本体に溶着されたＩＭＸフィルムとにより密閉された領域を形成することができることが判明した。
【０１１９】
以上の結果から、図４５に示すように、ＰＥ（ポリエチレン）とＰＰ（ポリプロピレン）とを１：１の比率で混合したカートリッジ本体１５１は、ＰＥ（ポリエチレン）単体からなる比較例１によるカートリッジ本体と同等のカートリッジ本体１５１とＩＭＸフィルムとの低い溶着温度（１００℃）、カートリッジ本体１５１とＩＭＸフィルムとの間の剥離しやすい適度な接合強度（１００ｇ）、および、バリア性を維持しながら、ＰＥ単体からなる比較例１によるカートリッジ本体よりもカートリッジ本体１５１の曲げ強度を向上させることができることが判明した。
【０１２０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１２１】
たとえば、上記実施形態では、液体供給部材として、不織布の一種である脱脂綿（カット綿）を用いる例を示したが、本発明はこれに限らず、メッシュシート（液体保持部材）に接触することにより、供給する液体の量を正確に制御可能な材料であれば、脱脂綿（カット綿）以外の不織布からなる液体供給部材や不織布以外の材料からなる液体供給部材を用いてもよく、例えばスポンジ、紙、濾紙、およびゲルなどを用いてもよい。
【０１２２】
また、上記実施形態では、液体供給部材には予め純水が吸収保持されているが、本発明はこれに限らず、抽出カートリッジの使用時に液体供給部材に純水を吸収させ、純水を吸収保持した液体供給部材をメッシュシートに接触させることによって、メッシュシートに純水を供給してもよい。
【０１２３】
また、上記実施形態では、液体供給部材がメッシュシートと直接接触することによってメッシュシートに純水を供給しているが、本発明はこれに限らず、液体供給部材とメッシュシートとが直接接触することなく、乾燥した脱脂綿などの媒体部材を介して、メッシュシートに純水を供給してもよい。
【０１２４】
また、上記実施形態では、抽出カートリッジの使用前は、メッシュシートは乾燥しているが、本発明はこれに限らず、メッシュシートに予め所定量の液体を保持させておいてもよい。この場合、メッシュシートに保持されている液体が蒸発してしまったとしても、抽出カートリッジの使用時に液体供給部材から液体を供給（補給）することによって、メッシュシートには所定量の液体が保持されることとなる。
【０１２５】
また、上記実施形態では、液体供給部材からメッシュシートに純水を供給した後に抽出カートリッジを血糖値測定装置に装着しているが、本発明はこれに限らず、抽出カートリッジを血糖値測定装置に装着した後に液体供給部材からメッシュシートに純水を供給するようにしてもよい。
【０１２６】
また、上記第１実施形態では、抽出カートリッジと液体供給部材（脱脂綿）とを同一の支持部材内に収容する例について示したが、本発明はこれに限らず、抽出カートリッジを収容する支持部材と、液体供給部材（脱脂綿）を収容する支持部材とを個別に設けてもよい。
【０１２７】
また、上記第１実施形態では、可撓性を有するシート状の支持部材に抽出カートリッジおよび液体供給部材（脱脂綿）を収容する例について示したが、本発明はこれに限らず、可撓性を有さない箱のような部材に抽出カートリッジおよび液体供給部材（脱脂綿）を収容してもよい。
【０１２８】
また、上記第１実施形態では、可撓性を有するシート状の分離部材を用いる例について示したが、本発明はこれに限らず、分離部材として可撓性を有さない板状の部材などを用いてもよい。また、分離部材は、支持部材から離脱可能に構成されていなくてもよい。
【０１２９】
また、上記第１実施形態では、分離部材の挟持部を挟持して引っ張ることにより分離部材を支持部材から離脱させる例について説明したが、本発明はこれに限らず、分離部材の支持部材から突出した部分に被験者の指を挿入可能な孔を形成するとともに、分離部材の孔に指を挿入して引っ張ることにより分離部材を支持部材から離脱させてもよい。また、分離部材に指を挿入して引っ張るためのリング状の部材を別途取り付けてもよい。このように構成すれば、一本の指を用いて支持部材から分離部材を取り外すことが可能である。
【０１３０】
また、上記第１実施形態では、カートリッジ収容部の凹部と液体供給部材収容部の凹部とを直線状のホームベース形状に形成することにより、カートリッジ収容部および液体供給部材収容部の各々の凹部の角部を起点として分離部材が支持部材から剥離される例について示したが、本発明はこれ限らず、分離部材が支持部材から剥離される起点となるカートリッジ収容部の凹部の部分と液体供給部材収容部の凹部の部分とを円弧状に形成してもよい。また、カートリッジ収容部の凹部と液体供給部材収容部の凹部とを円形状や四角形状に形成してもよい。
【０１３１】
また、上記第１実施形態では、グルコースを検知するセンサ部材として、光学センサを用いたが、本発明はこれに限らず、グルコースを検知するセンサ部材として、上記特許文献１（国際特許番号ＷＯ９６／００１１０号）に記載のセンサ電極アセンブリなどの電気的なセンサを用いてもよい。
【０１３２】
また、上記第１実施形態では、図２に示すように、抽出カートリッジ２が、血糖値測定装置１００の定電圧電源１３の陽極側に接続される陽極２４と、血糖値測定装置１００の定電圧電源１３の陰極側に接続される陰極２５とを有するように構成した例について示したが、本発明はこれに限らず、図２５に示す変形例のように、抽出カートリッジ２が、血糖値測定装置１００の定電圧電源１３の陰極側に接続される２つの陰極１２５を有するように構成してもよい。このとき、血糖値測定装置１００の定電圧電源１３の陽極側に電気的に接続される陽極端子１２４を別途設けるとともに、その陽極端子部１２４を被験者の皮膚の別の部位にセットする。なお、この場合、純水に代えて生理食塩水などの導電性液体を使用することが好ましい。
【０１３３】
また、上記第１実施形態では、定電圧電源により抽出カートリッジの電極に電圧を印加する例について示したが、本発明はこれに限らず、定電圧電源に代えて定電流電源を用いてもよいし、定電圧電源を用いることなく、自然抽出、超音波抽出、陰圧による抽出などにより生体からグルコースを抽出してもよい。
【０１３４】
また、上記第１実施形態では、本発明の液体保持部材としてナイロン製の網目構造を有するメッシュシートを用いる例について示したが、本発明はこれに限らず、本発明の液体保持部材としてナイロン以外の紙および樹脂などの絶縁材料により形成されたメッシュシートを用いてもよい。また、本発明の液体保持部材として、レーザなどを用いて孔を空けることにより形成された多孔質構造のシート状部材を用いてもよい。
【０１３５】
また、上記第１実施形態では、直流方式の定電圧電源を使用して陽極および陰極に電圧を印加する例について説明したが、本発明はこれに限らず、交流方式の定電圧電源を使用して陽極および陰極に電圧を印加するようにしてもよい。
【０１３６】
また、上記第１実施形態では、本発明を、生体からグルコースを抽出して血糖値を算出する血糖値測定装置に適用する例について説明したが、本発明はこれに限らず、生体からグルコース以外の他の分析物を抽出する分析物抽出装置に本発明を適用してもよい。本発明を適用可能な分析物抽出装置が抽出する分析物としては、たとえば、生化学成分や被験者に投与された薬剤などが挙げられる。生化学成分としては、生化学成分の一種であるたんぱく質の、アルブミン、グロブリンおよび酵素などが挙げられる。また、たんぱく質以外の生化学成分として、クレアチニン、クレアチン、尿酸、アミノ酸、フルクトース、ガラクトース、ペントース、グリコーゲン、乳酸、ピルビン酸およびケトン体などが挙げられる。また、薬剤としては、ジギタリス製剤、テオフィリン、不整脈用剤、抗てんかん剤、アミノ酸糖体抗生物質、グリコペプチド系抗生物質、抗血栓剤および免疫抑制剤などが挙げられる。
【０１３７】
また、上記第１実施形態の血糖値測定装置において、または、生体からグルコース以外の他の分析物を抽出する分析物抽出装置に本発明を適用した場合において、ＨＰＬＣ（Ｈｉｇｈ  Ｐｅｒｆｏｒｍａｎｃｅ  Ｌｉｑｕｉｄ  Ｃｈｒｏｍａｔｏｇｒａｐｈｙ）法等の他の測定法を用いてたんぱく質またはたんぱく質以外の生化学成分および薬剤を分析するように検知部および制御部を構成してもよい。
【０１３８】
また、上記第２実施形態では、直方体に形成された乾燥剤を用いる例を示したが、本発明はこれに限らず、シート状の乾燥剤を用いるようにしてもよい。
【０１３９】
また、上記第２実施形態では、乾燥剤をカートリッジ本体のセンサ部材側の他方表面と分離部材の接合面との間に配置する例を示したが、本発明はこれに限らず、乾燥剤をカートリッジ本体のメッシュシート側の一方表面と分離部材の接合面との間に配置するようにしてもよい。
【０１４０】
また、上記第２実施形態では、収容部材を抽出カートリッジのカートリッジ本体から取り外してから血糖値測定装置に装着するようにしたが、本発明はこれに限らず、抽出カートリッジを血糖値測定装置に装着する際、または装着後に、抽出カートリッジのカートリッジ本体から収容部材を取り外すようにしてもよい。
【０１４１】
また、上記第２実施形態では、収容部材をカートリッジ本体の把持部から取り外す例を示したが、本発明はこれに限らず、カートリッジ本体から把持部を取り外すことにより、把持部とともに収容部材をカートリッジ本体から取り外すようにしてもよい。
【０１４２】
また、上記第２実施形態では、２つの接合部材を接合することにより、分離部材に収容部材と接合する接合部と、カートリッジ本体に接合する接合部とを設けるようにしたが、本発明はこれに限らず、１つの部材により、分離部材に収容部材と接合する接合部と、カートリッジ本体に接合する接合部とを設けるようにしてもよい。具体的には、ＰＥＴ（ポリエチレンテレフタレート）と、アルミ箔と、ＰＥ（ポリエチレン）含有層と、アルミ箔と、ＰＥＴ（ポリエチレンテレフタレート）とをこの順番に積層した５層構造を有するシートを形成するとともに、そのシートを所定の位置までＰＥＴと、アルミ箔と、ＰＥ含有層とを有するシートと、ＰＥ含有層と、アルミ箔と、ＰＥＴとを有するシートとの２枚のシートに剥離することにより、収容部材と接合する接合部と、カートリッジ本体に接合する接合部とを形成するようにしてもよい。
【０１４３】
また、上記第２実施形態では、分離部材の接合部と、カートリッジ本体の接合領域および収容部材の収容部材接合部とを平面的に見て六角形状にすることにより、接合角部を起点として接合部が剥離される例を示したが、本発明はこれに限らず、分離部材の接合部と、カートリッジ本体の接合領域および収容部材の収容部材接合部とを平面的に見て楕円形状にするとともに、楕円の引き剥がし方向と反対側の端部を起点として接合部が剥離されるようにしてもよい。
【図面の簡単な説明】
【０１４４】
【図１】本発明の第１実施形態による抽出カートリッジが装着された血糖値測定装置を被験者の手首に装着した状態を示した斜視図である。
【図２】図１に示した血糖値測定装置の内部構造を示した平面図である。
【図３】図２中の３００−３００線に沿った断面図である。
【図４】図２中の４００−４００線に沿った断面図である。
【図５】図３に示した血糖値測定装置を被験者の手首に装着した状態を示した拡大図である。
【図６】図２に示した血糖値測定装置に装着される抽出カートリッジの構造を示した平面図である。
【図７】図１に示した血糖値測定装置の検知部の構成を示した概略図である。
【図８】本発明の第１実施形態による抽出カートリッジセットを示した斜視図である。
【図９】図８中の５００−５００線に沿った断面図である。
【図１０】図８に示した第１実施形態による抽出カートリッジセットを開いた状態を示した斜視図である。
【図１１】図１０に示した第１実施形態による抽出カートリッジセットの平面図である。
【図１２】前処理に用いるマイクロニードルを示した斜視図である。
【図１３】図１２に示したマイクロニードルによる前処理が施された皮膚の状態を示した断面図である。
【図１４】図１に示した血糖値測定装置による血糖値測定の動作手順を示したフローチャートである。
【図１５】図８に示した第１実施形態による抽出カートリッジセットから抽出カートリッジを取り出す際の動作を説明するための断面図である。
【図１６】図８に示した第１実施形態による抽出カートリッジセットから抽出カートリッジを取り出す際の動作を説明するための断面図である。
【図１７】図８に示した第１実施形態による抽出カートリッジセットから抽出カートリッジを取り出す際の動作を説明するための断面図である。
【図１８】図８に示した第１実施形態による抽出カートリッジセットから抽出カートリッジを取り出す際の動作を説明するための断面図である。
【図１９】図８に示した第１実施形態による抽出カートリッジセットから抽出カートリッジを取り出す際の動作を説明するための斜視図である。
【図２０】図８に示した第１実施形態による抽出カートリッジセットの液体供給部材に吸収保持された純水量と、液体供給部材から抽出カートリッジのメッシュシートに転写された純水量との関係を示した相関図である。
【図２１】図１に示した血糖値測定装置を用いたグルコースの抽出原理を説明するための模式図である。
【図２２】図１に示した血糖値測定装置を用いたグルコースの抽出原理を説明するための模式図である。
【図２３】図１に示した血糖値測定装置を用いたグルコースの抽出原理を説明するための模式図である。
【図２４】図１に示した血糖値測定装置を用いたグルコースの抽出原理を説明するための模式図である。
【図２５】本発明の第１実施形態の変形例による抽出カートリッジが装着された血糖値測定装置の内部構造を示した平面図である。
【図２６】本発明の第２実施形態による抽出カートリッジセットを示した斜視図である。
【図２７】図２６中の６００−６００線に沿った断面図である。
【図２８】図２６中の７００−７００線に沿った断面図である。
【図２９】本発明の第２実施形態による抽出カートリッジセットの分離部材を示した斜視図である。
【図３０】本発明の第２実施形態による抽出カートリッジセットから分離部材を取り外す際の構造および動作を示した斜視図である。
【図３１】本発明の第２実施形態による抽出カートリッジセットから分離部材を取り外す際の構造および動作を示した断面図である。
【図３２】本発明の第２実施形態による抽出カートリッジセットから分離部材を取り外す際の構造および動作を示した斜視図である。
【図３３】本発明の第２実施形態による抽出カートリッジセットから分離部材を取り外す際の構造および動作を示した断面図である。
【図３４】本発明の第２実施形態による抽出カートリッジセットから分離部材を取り外す際の構造および動作を示した拡大断面図である。
【図３５】本発明の第２実施形態による抽出カートリッジセットから分離部材を取り外す際の構造および動作を示した斜視図である。
【図３６】本発明の第２実施形態による抽出カートリッジセットから分離部材を取り外す際の構造および動作を示した断面図である。
【図３７】本発明の第２実施形態による抽出カートリッジセットから分離部材を取り外す際の構造および動作を示した斜視図である。
【図３８】本発明の第２実施形態による抽出カートリッジセットから分離部材を取り外す際の構造および動作を示した断面図である。
【図３９】本発明の第２実施形態による抽出カートリッジセットから分離部材を取り外す際の構造および動作を示した斜視図である。
【図４０】本発明の第２実施形態による抽出カートリッジセットから分離部材を取り外す際の構造および動作を示した断面図である。
【図４１】本発明の第２実施形態による液体供給部材から液体保持部材に液体を転写する際の構造および動作を示した斜視図である。
【図４２】本発明の第２実施形態による液体供給部材から液体保持部材に液体を転写する際の構造および動作を示した断面図である。
【図４３】本発明の第２実施形態による抽出カートリッジセットから収容部材を取り外す際の構造および動作を示した斜視図である。
【図４４】本発明の第２実施形態による抽出カートリッジセットから収容部材を取り外す際の構造および動作を示した断面図である。
【図４５】本発明の第２実施形態によるカートリッジ本体の材料に基づくＰＥ（ポリエチレン）含有フィルムの溶着特性を示した図である。
【符号の説明】
【０１４５】
２  抽出カートリッジ（分析物抽出カートリッジ）
１３  定電圧電源（電源）
２３  メッシュシート（液体保持部材、シート状部材）
２４  陽極（電極）
２５  陰極（電極）
４０  支持部材（保持手段、収容手段、袋）
６０  液体供給部材
７０  分離部材（保持手段）
７１  カートリッジ収容部
７２  液体供給部材収容部
７３  挟持部
１００  血糖値測定装置（分析装置）
１５０  抽出カートリッジ（分析物抽出カートリッジ）
１５１  カートリッジ本体
１５１ａ  把持部（カートリッジ側把持部）
１５１ｂ  一方表面（一方面）
１５１ｃ  他方表面（他方面）
１７０  分離部材（保持手段）
１７１  接合部材（第１接合部材）
１７１ａ  接合面（第１の面、第２フィルム状部材）
１７１ｂ  分離部（分離部、第１分離部、接続部材）
１７１ｃ  接合面（第２の面）
１７１ｄ  把持部（分離部材側把持部）
１７１ｅ  接合部（第１接合部）
１７１ｆ  接合部（第３接合部）
１７２  接合部材（第２接合部材）
１７２ａ  接合面（第２の面、第１フィルム状部材）
１７２ｂ  分離部（分離部、第２分離部、接続部材）
１７２ｃ  接合部（第２接合部）
１８０  収容部材（保持手段、収容手段、液体供給部材保持部材）
１８０ａ  収容部材接合面（第１の内面）
１８０ｂ  収容部材取付部（カートリッジ接合部）
１９０  液体供給部材収容部（収容部）
２００、２００ａ  抽出カートリッジセット（分析物抽出カートリッジセット）
【図１】
2006223837.tif 000003
【図２】
2006223837.tif 000004
【図３】
2006223837.tif 000005
【図４】
2006223837.tif 000006
【図５】
2006223837.tif 000007
【図６】
2006223837.tif 000008
【図７】
2006223837.tif 000009
【図８】
2006223837.tif 000010
【図９】
2006223837.tif 000011
【図１０】
2006223837.tif 000012
【図１１】
2006223837.tif 000013
【図１２】
2006223837.tif 000014
【図１３】
2006223837.tif 000015
【図１４】
2006223837.tif 000016
【図１５】
2006223837.tif 000017
【図１６】
2006223837.tif 000018
【図１７】
2006223837.tif 000019
【図１８】
2006223837.tif 000020
【図１９】
2006223837.tif 000021
【図２０】
2006223837.tif 000022
【図２１】
2006223837.tif 000023
【図２２】
2006223837.tif 000024
【図２３】
2006223837.tif 000025
【図２４】
2006223837.tif 000026
【図２５】
2006223837.tif 000027
【図２６】
2006223837.tif 000028
【図２７】
2006223837.tif 000029
【図２８】
2006223837.tif 000030
【図２９】
2006223837.tif 000031
【図３０】
2006223837.tif 000032
【図３１】
2006223837.tif 000033
【図３２】
2006223837.tif 000034
【図３３】
2006223837.tif 000035
【図３４】
2006223837.tif 000036
【図３５】
2006223837.tif 000037
【図３６】
2006223837.tif 000038
【図３７】
2006223837.tif 000039
【図３８】
2006223837.tif 000040
【図３９】
2006223837.tif 000041
【図４０】
2006223837.tif 000042
【図４１】
2006223837.tif 000043
【図４２】
2006223837.tif 000044
【図４３】
2006223837.tif 000045
【図４４】
2006223837.tif 000046
【図４５】
2006223837.tif 000047